(57)【要約】      （修正有）【課題】赤外線を吸収するドットが印刷された情報入力補助シートに光学読み取り装置が備える光源が照射した赤外線を反射させてドットパターンを読み取るとき、光学読み取り装置の接触角によらず極微細な領域の赤外線反射光を確実に読み取ることができる情報入力補助シートを提供する。【解決手段】情報入力補助シート（グリッドシート１）は、ドットパターン７と、拡散反射層（赤外線拡散層５および赤外線反射層６）と、を含む。ドットパターンのドット３は、透明シートに少なくとも所定の波長光を吸収する特性または該所定の波長光を吸収する特性および可視光透過特性を有するインクで印刷される。拡散反射層は、照射手段で照射される所定の波長光がドットパターン読み取り面に対して拡散反射するように指向性反射材料を配置して形成される。【選択図】図１
2019194889.tif 000002
【特許請求の範囲】
【請求項１】
光学読み取り装置で接触または離反して読み取られるドットパターンが形成されたドットパターン読み取り面または当該ドットパターン読み取り面の反対面に、少なくとも所定の波長光を拡散反射する拡散反射層が形成され、所定の媒体面上または該媒体面近傍に配置または貼付される情報入力補助シートであって、
前記光学読み取り装置は、
前記所定の波長光を照射する照射手段と、
少なくとも前記所定の波長光を透過させ、かつ可視光を遮断するフィルターと、
少なくとも前記所定の波長光を撮像する撮像手段と、
該撮像手段で撮像されたドットパターン画像をドットコードに復号する復号化手段と、を備え、
前記ドットパターンのドットは、前記ドットパターン読み取り面に少なくとも前記所定の波長光を吸収する特性または該所定の波長光を吸収する特性および可視光透過特性を有するインクで印刷され、
前記拡散反射層は、前記照射手段で照射される前記所定の波長光がドットパターン読み取り面に対して拡散反射するように指向性反射材料を配置して形成された情報入力補助シート。
【請求項２】
前記指向性反射材料はポリマー分子である請求項１に記載の情報入力補助シート。
【請求項３】
前記拡散反射層は、前記ポリマー分子が異なる方向に積層された複数のセルを配置して形成された請求項２に記載の情報入力補助シート。
【請求項４】
前記拡散反射層は、前記ポリマー分子が同方向に積層された複数のセルの配向角度を変えて配置して形成された請求項２に記載の情報入力補助シート。
【請求項５】
前記拡散反射層は、前記セルの配向角度を規則的に変化させて配置して形成された請求項４に記載の情報入力補助シート。
【請求項６】
前記拡散反射層は、前記ドットパターン読み取り面に沿って前記ポリマー分子が平行に配向されるセルを所定の割合で配置して形成された、請求項３から請求項５のいずれか１項に記載の情報入力補助シート。
【請求項７】
前記拡散反射層は、粉砕した前記セルを該セルと同一の屈折率を有する溶剤に封入し形成された請求項２に記載の情報入力補助シート。
【請求項８】
前記ポリマー分子および前記セルは少なくとも可視光を透過する指向性反射材料である、請求項１から請求項７のいずれか１項に記載の情報入力補助シート。
【請求項９】
前記拡散反射層は、選択して拡散反射する前記所定の波長光の波長が異なる複数種類のポリマー分子を配置した請求項２から請求項８のいずれか１項に記載の情報入力補助シート。
【請求項１０】
前記指向性材料は、光学積層体によって前記所定の波長光の反射光を入射方向に再帰性反射する請求項１に記載の情報入力補助シート。
【請求項１１】
前記拡散反射層は、２つの透明層と、前記透明層の間に前記所定の波長光を反射して可視光を透過する表面部によって形成された凹部を備え、前記凹部の反射によって前記所定の波長光の反射光を入射方向に再帰性反射する請求項１に記載の情報入力補助シート。
【請求項１２】
前記拡散反射層は、前記２つの透明層の内、ドットパターン読み取り面側の透明層に形成されている請求項１１に記載の情報入力補助シート。
【請求項１３】
前記拡散反射層は、ガラスまたは樹脂製の透明ビーズ単層を樹脂によって固定したビーズ層と、前記ビーズ層のビーズの形状に隣接して設けられ、前記所定の波長光を反射して可視光を透過するビーズ反射層を備え、前記ビーズとビーズ反射層の反射によって前記所定の波長光の反射光を入射方向に再帰性反射する請求項１に記載の情報入力補助シート。
【請求項１４】
前記ドットパターンのドットは、波長が異なる複数種類の前記所定の波長光を吸収する特性または該所定の波長光を吸収する特性および可視光透過特性を有するインクで印刷された請求項１から請求項１３のいずれか１項に記載の情報入力補助シート。
【請求項１５】
前記ドットパターンが形成されるドットの所定位置に、所定の規則に基づいて前記インクで印刷するドットが配置された請求項１４に記載の情報入力補助シート。
【請求項１６】
前記拡散反射層は、少なくとも前記複数種類の波長光を拡散反射し、
前記照射手段は、前記複数種類の波長光を照射し、
前記フィルターは、少なくとも前記複数種類の波長光を透過させ、かつ可視光を遮断し、
前記撮像手段は、少なくとも前記複数種類の波長光を撮像する、請求項１４または請求項１５のいずれか１項に記載の情報入力補助シート。
【請求項１７】
前記ドットパターン読み取り面の反対面に少なくとも可視光を投影可能なスクリーンが貼付され、該ドットパターン形成面に向けてプロジェクタで画像が投影される請求項１から請求項１６のいずれか１項に記載の情報入力補助シート。
【請求項１８】
前記所定の媒体は印刷物またはディスプレイまたは透明媒体である請求項１から請求項１７のいずれか１項に記載の情報入力補助シート。
【請求項１９】
前記ドットパターン読み取り面に少なくとも可視光および前記所定の波長光を透過する保護層が形成された請求項１から請求項１８のいずれか１項に記載の情報入力補助シート。
【請求項２０】
前記ドットパターンは、透明シートのドットパターン読み取り面の反対面に形成され、該透明シートを保護層として兼用する請求項１から請求項１９のいずれか１項に記載の情報入力補助シート。
【請求項２１】
前記ドットパターンには座標値または座標値およびコード値が符号化され、該座標値により前記光学読み取り装置によりドットパターンを読み取った位置が認識される請求項１から請求項２０のいずれか１項に記載の情報入力補助シート。
【請求項２２】
前記光学読み取り装置で読み取った前記座標値または前記コード値の少なくとも一部に定義されたインデックスにより、分類または唯一に特定される請求項２１に記載の情報入力補助シート。
【請求項２３】
前記所定の波長光は、赤外線または紫外線である請求項１から請求項２２のいずれか１項に記載の情報入力補助シート。
【請求項２４】
所定の媒体面上または該媒体面近傍に貼付または配置された請求項１〜２３のいずれか１項に記載の情報入力補助シートに接触または離反して、該情報入力補助シートに形成されたドットパターンを読み取る光学読み取り装置であって、
前記光学読み取り装置は、
所定の波長光を照射する照射手段と、
少なくとも前記所定の波長光を透過させ、かつ可視光を遮断するフィルターと、
少なくとも前記所定の波長光を撮像する撮像手段と、
該撮像手段で撮像されたドットパターン画像をドットコードに復号化する復号化手段と、
を備え、
前記ドットパターンのドットは、少なくとも前記所定の波長光を吸収する特性または該所定の波長光を吸収する特性および可視光透過特性を有するインクで印刷されたドットコード光学読み取り装置。
【請求項２５】
復号化された前記ドットコードまたは該ドットコードに対応する命令および／またはデータを情報処理装置に送信する送信手段を、さらに備えた請求項２４に記載の光学読み取り装置。
【請求項２６】
復号化された前記ドットコードまたは該ドットコードに対応する命令および／またはデータに対応する情報を出力する出力手段を、さらに備えた請求項２４または請求項２５のいずれかに記載の光学読み取り装置。
【請求項２７】
所定の媒体面上または該媒体面近傍に貼付または配置された請求項１〜２３のいずれか１項に記載の情報入力補助シートと、
前記情報入力補助シートに接触または離反して、該情報入力補助シートに形成されたドットパターンを読み取る光学読み取り装置と、
からなる情報処理システムであって、
前記光学読み取り装置は、
所定の波長光を照射する照射手段と、
少なくとも前記所定の波長光を透過させ、かつ可視光を遮断するフィルターと、
少なくとも前記所定の波長光を撮像する撮像手段と、
該撮像手段で撮像されたドットパターン画像をドットコードに復号化する復号化手段と、
を備え、
前記ドットパターンのドットは、少なくとも前記所定の波長光を吸収する特性または該所定の波長光を吸収する特性および可視光透過特性を有するインクで印刷されたドットコード情報処理システム。
【請求項２８】
前記光学読み取り装置に、復号化された前記ドットコードまたは該ドットコードに対応する命令および／またはデータを情報処理装置に送信する送信手段を、さらに備えた請求項２７に記載のドットコード情報処理システム。
【請求項２９】
復号化されたドットコードまたは該ドットコードに対応する命令および／またはデータに対応する情報を出力する出力装置を、さらに加えた請求項２７または請求項２８のいずれかに記載のドットコード情報処理システム。
【発明の詳細な説明】
【技術分野】
【０００１】
本発明は、印刷されたドットパターンを読み取るための情報入力補助シートであって、特に、微細な領域に印刷されたドットパターンを読み取るための情報入力補助シートに関するものである。
【背景技術】
【０００２】
近年、ディスプレイ装置にタッチパネル機能を標準搭載するコンピュータが普及しているが、タッチパネル機能を搭載しないディスプレイ装置にタッチパネル機能を付与するため、読み取り手段による座標入力を可能とするための座標情報が符号化されたドットパターンが印刷されたフィルムをディスプレイ装置の前面若しくは前方に装着するようにしたものもある（例えば、特許文献１参照）。
【０００３】
本出願人は、赤外線を反射するとともに、可視光を透過する特性を有する赤外線反射層と、赤外線吸収材料からなるドットを配列したドットパターン層とを設けた情報入力シートについて特許権を取得している（例えば、特許文献２参照）。
【０００４】
反射層については、偏光選択反射層形成用塗工液中のレベリング剤の含有量を変化させることにより、レベリング剤を偏光選択反射層の内部にまで侵入させてコレステリック液晶構造ドメインの構築に分子レベルで影響を与え、螺旋軸構造領域の螺旋軸と基材平面の法線とのなす角度を０°〜４５°の範囲とした螺旋軸構造領域を偏光選択反射層の５０パーセント以上含有する投影スクリーンが知られている（例えば、特許文献３参照）。
【先行技術文献】
【特許文献】
【０００５】
【特許文献１】特開２００３−２５６１３７号公報
【特許文献２】特許４１２９８４１号公報
【特許文献３】特開２００５−３７７３５号公報
【発明の概要】
【発明が解決しようとする課題】
【０００６】
しかしながら、特許文献１では、フィルムの着想を開示したにとどまり、フィルムを具体化する手段は記載されていない。
【０００７】
図２４は、特許文献２に示された従来のグリッドシートについて説明する図である。図２４のように、例えば光学読み取り装置のＩＲ−ＬＥＤがレンズを囲む２か所に設けられていて、ＩＲ−ＬＥＤから照射された赤外線が、赤外線反射層でグリッドシートの法線方向に対する入射光と反射光の角度が等しくなるように鏡面反射するとき、２つのＩＲ−ＬＥＤの中央に設けられたレンズでは、ＩＲ−ＬＥＤから照射された赤外線の中央部分の反射光を受光することができない。
【０００８】
図２４では、スキャナをグリッドシートに垂直に立てて使用した例について説明しているが、スキャナはグリッドシートに対して３０度から４０度程斜めに傾けて使用されることが多い。図２５は、スキャナを斜めに傾けて使用したときの従来のグリッドシートについて説明する図であり、鏡面反射するグリッドシートではＩＲ−ＬＥＤから照射された赤外線反射光の一部しか受光できないという問題があった。
【０００９】
特許文献２では、赤外線反射層とドットパターン層の間に赤外線拡散層を設けることが示されているが、赤外線拡散層に関する具体的な記載はない。特許文献２に示される図２４及び図２５の光学読み取り装置の開口径は約４ｍｍであり、その中に約５０μｍの大きさのドットが、約５０８μｍの間隔をあけて、約６０個印刷されており、ドットパターンの光学読み取り装置には、高精度な赤外線反射光の識別能力が要求される。
【００１０】
特許文献３では、螺旋軸構造領域の螺旋軸と基材平面の法線とのなす角度を０°〜４５°の範囲とした螺旋軸構造領域の含有率を５０パーセント以上とする投影スクリーンについて良好な拡散性および視認性が得られるとしているが、μレベルの極微細な領域におけるｎレベルの視認性は保証されていない。
【００１１】
また、特許文献３では、法線とのなす角度を０°〜４５°の範囲とした螺旋軸構造領域の含有率を５０パーセント以上として投影スクリーンの基材平面の法線に対する角度が０°〜４５°の範囲に反射光を集めているので、逆に、図２５のように投影スクリーンの法線との角度が４５°を超えたグリッドシートの接触角においては反射光の受光量が減少し、ドットパターンを読み取ることが難しくなる。
【００１２】
そこで、本発明の目的は、赤外線を吸収するドットが印刷された情報入力補助シートに光学読み取り装置が備える光源が照射した赤外線を反射させてドットパターンを読み取るとき、光学読み取り装置の接触角によらず極微細な領域の赤外線反射光を確実に読み取ることができる材料で赤外線拡散反射層を形成した情報入力補助シートを提供することにある。
【課題を解決するための手段】
【００１３】
（１）本発明に係る情報入力補助シートは、光学読み取り装置で接触または離反して読み取られるドットパターンが形成されたドットパターン読み取り面または当該ドットパターン読み取り面の反対面に、少なくとも所定の波長光を拡散反射する拡散反射層が形成され、所定の媒体面上または該媒体面近傍に配置または貼付される情報入力補助シートであって、前記光学読み取り装置は、前記所定の波長光を照射する照射手段と、少なくとも前記所定の波長光を透過させ、かつ可視光を遮断するフィルターと、少なくとも前記所定の波長光を撮像する撮像手段と、該撮像手段で撮像されたドットパターン画像をドットコードに復号する復号化手段と、を備え、前記ドットパターンのドットは、前記ドットパターン読み取り面に少なくとも前記所定の波長光を吸収する特性または該所定の波長光を吸収する特性および可視光透過特性を有するインクで印刷され、前記拡散反射層は、前記照射手段で照射される前記所定の波長光がドットパターン読み取り面に対して拡散反射するように指向性反射材料を配置して形成された、ことを特徴とする。
【００１４】
（２）さらに、前記指向性反射材料はポリマー分子である、ことを特徴とする。
【００１５】
（３）さらに、前記拡散反射層は、前記ポリマー分子が異なる方向に積層された複数のセルを配置して形成された、ことを特徴とする。
【００１６】
（４）さらに、前記拡散反射層は、前記ポリマー分子が同方向に積層された複数のセルの配向角度を変えて配置して形成された、ことを特徴とする。
【００１７】
（５）さらに、前記拡散反射層は、前記セルの配向角度を規則的に変化させて配置して形成された、ことを特徴とする。
【００１８】
（６）さらに、前記拡散反射層は、前記ドットパターン読み取り面に沿って前記ポリマー分子が平行に配向されるセルを所定の割合で配置して形成された、ことを特徴とする。
【００１９】
（７）さらに、前記拡散反射層は、粉砕した前記セルを該セルと同一の屈折率を有する溶剤に封入し形成された、ことを特徴とする。
【００２０】
（８）さらに、前記ポリマー分子および前記セルは少なくとも可視光を透過する指向性反射材料である、ことを特徴とする。
【００２１】
（９）さらに、前記拡散反射層は、選択して拡散反射する前記所定の波長光の波長が異なる複数種類のポリマー分子を配置した、ことを特徴とする。
【００２２】
（１０）さらに、前記指向性材料は、光学積層体によって前記所定の波長光の反射光を入射方向に再帰性反射する、ことを特徴とする。
【００２３】
（１１）さらに、前記拡散反射層は、２つの透明層と、前記透明層の間に前記所定の波長光を反射して可視光を透過する表面部によって形成された凹部を備え、前記凹部の反射によって前記所定の波長光の反射光を入射方向に再帰性反射する、ことを特徴とする。
【００２４】
（１２）さらに、前記拡散反射層は、前記２つの透明層の内、ドットパターン読み取り面側の透明層に形成されている、ことを特徴とする。
【００２５】
（１３）さらに、前記拡散反射層は、ガラスまたは樹脂製の透明ビーズ単層を樹脂によって固定したビーズ層と、前記ビーズ層のビーズの形状に隣接して設けられ、前記所定の波長光を反射して可視光を透過するビーズ反射層を備え、前記ビーズとビーズ反射層の反射によって前記所定の波長光の反射光を入射方向に再帰性反射する、ことを特徴とする。
【００２６】
（１４）さらに、前記ドットパターンのドットは、波長が異なる複数種類の前記所定の波長光を吸収する特性または該所定の波長光を吸収する特性および可視光透過特性を有するインクで印刷された、ことを特徴とする。
【００２７】
（１５）さらに、前記ドットパターンが形成されるドットの所定位置に、所定の規則に基づいて前記インクで印刷するドットが配置された、ことを特徴とする。
【００２８】
（１６）さらに、前記拡散反射層は、少なくとも前記複数種類の波長光を拡散反射し、前記照射手段は、前記複数種類の波長光を照射し、前記フィルターは、少なくとも前記複数種類の波長光を透過させ、かつ可視光を遮断し、前記撮像手段は、少なくとも前記複数種類の波長光を撮像する、ことを特徴とする。
【００２９】
（１７）さらに、前記ドットパターン読み取り面の反対面に少なくとも可視光を投影可能なスクリーンが貼付され、該ドットパターン形成面に向けてプロジェクタで画像が投影される、ことを特徴とする。
【００３０】
（１８）さらに、前記所定の媒体は印刷物またはディスプレイまたは透明媒体である、ことを特徴とする。
【００３１】
（１９）さらに、前記ドットパターン読み取り面に少なくとも可視光および前記所定の波長光を透過する保護層が形成された、ことを特徴とする。
【００３２】
（２０）さらに、前記ドットパターンは、透明シートのドットパターン読み取り面の反対面に形成され、該透明シートを保護層として兼用する、ことを特徴とする。
【００３３】
（２１）さらに、前記ドットパターンには座標値または座標値およびコード値が符号化され、該座標値により前記光学読み取り装置によりドットパターンを読み取った位置が認識される、ことを特徴とする。
【００３４】
（２２）さらに、前記光学読み取り装置で読み取った前記座標値または前記コード値の少なくとも一部に定義されたインデックスにより、分類または唯一に特定される、ことを特徴とする。
【００３５】
（２３）さらに、前記所定の波長光は、赤外線または紫外線である、ことを特徴とする。
【００３６】
（２４）本発明に係るドットコード光学読み取り装置は、所定の媒体面上または該媒体面近傍に貼付または配置された情報入力補助シートに接触または離反して、該情報入力補助シートに形成されたドットパターンを読み取る光学読み取り装置であって、前記光学読み取り装置は、所定の波長光を照射する照射手段と、少なくとも前記所定の波長光を透過させ、かつ可視光を遮断するフィルターと、少なくとも前記所定の波長光を撮像する撮像手段と、該撮像手段で撮像されたドットパターン画像をドットコードに復号化する復号化手段と、を備え、前記ドットパターンのドットは、少なくとも前記所定の波長光を吸収する特性または該所定の波長光を吸収する特性および可視光透過特性を有するインクで印刷された、ことを特徴とする。
【００３７】
（２５）さらに、復号化された前記ドットコードまたは該ドットコードに対応する命令および／またはデータを情報処理装置に送信する送信手段を、さらに備えた、ことを特徴とする。
【００３８】
（２６）さらに、復号化された前記ドットコードまたは該ドットコードに対応する命令および／またはデータに対応する情報を出力する出力手段を、さらに備えた、ことを特徴とする。
【００３９】
（２７）本発明に係るドットコード情報処理システムは、所定の媒体面上または該媒体面近傍に貼付または配置された情報入力補助シートと、前記情報入力補助シートに接触または離反して、該情報入力補助シートに形成されたドットパターンを読み取る光学読み取り装置と、からなる情報処理システムであって、前記光学読み取り装置は、所定の波長光を照射する照射手段と、少なくとも前記所定の波長光を透過させ、かつ可視光を遮断するフィルターと、少なくとも前記所定の波長光を撮像する撮像手段と、該撮像手段で撮像されたドットパターン画像をドットコードに復号化する復号化手段と、を備え、前記ドットパターンのドットは、少なくとも前記所定の波長光を吸収する特性または該所定の波長光を吸収する特性および可視光透過特性を有するインクで印刷された、ことを特徴とする。
【００４０】
（２８）さらに、前記光学読み取り装置に、復号化された前記ドットコードまたは該ドットコードに対応する命令および／またはデータを情報処理装置に送信する送信手段を、さらに備えた、ことを特徴とする。
【００４１】
（２９）さらに、復号化されたドットコードまたは該ドットコードに対応する命令および／またはデータに対応する情報を出力する出力装置を、さらに加えた、ことを特徴とする。
【発明の効果】
【００４２】
本発明によると、赤外線を吸収するドットが印刷された情報入力補助シートに光学読み取り装置が備える光源が照射した赤外線を反射させてドットパターンを読み取るとき、光学読み取り装置の接触角によらず極微細な領域の赤外線反射光を確実に読み取ることができる材料で赤外線拡散反射層を形成した情報入力補助シートを提供することにある。
【図面の簡単な説明】
【００４３】
【図１】（ａ）本発明のグリッドシートをスキャナによって読み取る様子を示した断面図である。（ｂ）レンズによって読み取られた撮像画像を示す図である。
【図２】（ａ）本発明のグリッドシートをスキャナによって斜めに読み取る様子を示した断面図である。（ｂ）レンズによって読み取られた撮像画像を示す図である。
【図３】本発明の第１から第６の実施形態のグリッドシートの赤外線拡散層のセルを模試的に示す投影図である。
【図４】本発明の第１の実施形態のグリッドシートの赤外線拡散層の拡散反射について模式的に説明する断面図である。
【図５】本発明の第２の実施形態のグリッドシートの赤外線拡散層の拡散反射について模式的に説明する断面図である。
【図６】本発明の第３の実施形態のグリッドシートの赤外線拡散層の拡散反射について模式的に説明する断面図である。
【図７】本発明の第４の実施形態のグリッドシートの赤外線拡散層の拡散反射について模式的に説明する断面図である。
【図８】本発明の第５の実施形態のグリッドシートの赤外線拡散層の拡散反射について模式的に説明する断面図である。
【図９】本発明の第６の実施形態のグリッドシートの赤外線拡散層の拡散反射について模式的に説明する断面図である。
【図１０】本発明の第７の実施形態のグリッドシートの赤外線拡散層のセルを模試的に示す投影図である。
【図１１】本発明の第８の実施形態のグリッドシートの赤外線拡散層の拡散反射について模式的に説明する断面図である。
【図１２】本発明の第９の実施形態のグリッドシートの赤外線再帰性反射層の再帰性反射について模式的に説明した断面図である。
【図１３】本発明の第１０の実施形態のグリッドシートの赤外線再帰性反射層の再帰性反射について模式的に説明した断面図である。
【図１４】本発明のグリッドシートを印刷物に使用した例を示す図である。
【図１５】本発明の第１１の実施形態のグリッドシートを拡大して模式的に示す図である。
【図１６】本発明の第１１の実施形態のグリッドシートのドットパターン層と赤外線再帰性反射層を模式的に示す断面図である。
【図１７】本発明のグリッドシートに赤外線を照射するＩＲ−ＬＥＤ１の出力特性の例を示す図である。
【図１８】ＩＲ−ＬＥＤ１から８４０ｎｍの赤外線を基準格子に照射したときの情報ドットの赤外線吸収率について説明する図である。
【図１９】本発明のグリッドシートに赤外線を照射するＩＲ−ＬＥＤ２の出力特性の例を示す図である。
【図２０】ＩＲ−ＬＥＤ２から８６０ｎｍの赤外線を基準格子に照射したときの情報ドットの赤外線吸収率について説明する図である。
【図２１】本発明のグリッドシートに赤外線を照射するＩＲ−ＬＥＤ３の出力特性の例を示す図である。
【図２２】ＩＲ−ＬＥＤ３から８４０ｎｍから８６０ｎｍの波長帯の赤外線を基準格子に照射したときの情報ドットの赤外線吸収率について説明する図である。
【図２３】本発明の第１２の実施形態のグリッドシートを模式的に示す断面図である。
【図２４】従来のグリッドシートについて説明する図である。
【図２５】スキャナを斜めに傾けて使用したときの従来のグリッドシートについて説明する図である。
【図２６】本発明の第１３の実施形態を示し、同図は情報入力補助シートの動作原理を説明するための概略断面図であり、同図（ａ）は媒体としてディスプレイを用いたもので、同図（ｂ）は媒体として透明媒体を用いたもので、同図（ｃ）は媒体として印刷媒体を用いたものをそれぞれ示すものである。
【図２７】本発明の第１４の実施形態を示し、同図は情報入力補助シートの動作原理を説明するための概略断面図であり、同図（ａ）は媒体としてディスプレイを用いたもので、同図（ｂ）は媒体として透明媒体を用いたもので、同図（ｃ）は媒体として印刷媒体を用いたものをそれぞれ示すものである。
【図２８】本発明の第１５の実施形態を示し、同図は情報入力補助シートの動作原理を説明するための概略断面図であり、同図（ａ）は媒体としてディスプレイを用いたもので、同図（ｂ）は媒体として透明媒体を用いたもので、同図（ｃ）は媒体として印刷媒体を用いたものをそれぞれ示すものである。
【図２９】本発明の第１６の実施形態を示し、情報処理装置の一例を説明するための正面図である。
【図３０】ドットを説明するための説明図であり、同図（ａ）は読み取った画像の写真であり、同図（ｂ）は座標値テーブルを示す表をそれぞれ示すものである。
【図３１】情報ドットの実施の形態を説明するためのものあり、同図（ａ）は第１の例、同図（ｂ）は第２の例、同図（ｃ）は第３の例、同図（ｄ）は第４の例、同図（ｅ）は第５の例をそれぞれ示すものである。
【図３２】ドットコード割り当てフォーマットの実施の形態を説明するためのものであり、同図（ａ）は第１の例、同図（ｂ）は第２の例、同図（ｃ）は第３の例をそれぞれ示すものである。
【図３３】ドットパターンの第１の例（「ＧＲＩＤ０」）の実施の形態を説明するためのものであり、同図（ａ）は第１の汎用例、同図（ｂ）は第２の汎用例、同図（ｃ）は第３の汎用例をそれぞれ示すものである。
【図３４】図３３に対応し、ドットパターン（ＧＲＩＤ０）の変形例を説明するためのものであり、同図（ａ）は第１の変形例、同図（ｂ）は第２の変形例、同図（ｃ）は第３の変形例をそれぞれ示すものである。
【図３５】ドットパターン（ＧＲＩＤ０）の変形例を説明するためのものであり、同図（ａ）は第４の変形例であり、同時にドットパターンの第２の例（「ＧＲＩＤ１」）の実施の形態を説明するためのものであり、同図（ｂ）は第５の変形例、同図（ｃ）は第６の変形例をそれぞれ示すものである。
【図３６】ドットパターン（ＧＲＩＤ０、１）の連結例ないし連接例を説明するためのものであり、同図（ａ）はドットパターン（ＧＲＩＤ０、１）の連結例、同図（ｂ）はドットパターン（ＧＲＩＤ０）の第１の連接例をそれぞれ示すものである。
【図３７】図３６に続き、同図はドットパターン（ＧＲＩＤ０）の第２の連接例を示すものである。
【図３８】ドットパターン（ＧＲＩＤ１）の配置が変更した場合の中心の求め方を説明するための説明図である。
【図３９】ドットパターンの第３の例（「ＧＲＩＤ５」の実施の形態を説明するためのものであり、同図（ａ）は第１の汎用例、同図（ｂ）は第２の汎用例、同図（ｃ）は第３の汎用例をそれぞれ示すものである。
【図４０】ドットパターン（ＧＲＩＤ５の特殊な例「ディレクションドット」）の変形例を説明するためのものであり、同図（ａ）は第１の変形例、同図（ｂ）は第２の変形例、同図（ｃ）は第３の変形例をそれぞれ示すものである。
【図４１】ドットパターン（ディレクションドット）の変形例を説明するためのものであり、同図（ａ）は第４の変形例、同図（ｂ）は第５の変形例をそれぞれ示すものである。
【図４２】ドットパターン（ディレクションドット）の変形例を説明するためのものであり、同図（ａ）は第６の変形例、同図（ｂ）は第７の変形例をそれぞれ示すものである。
【図４３】ドットパターン（ＧＲＩＤ５）の変形例を説明するためのものであり、同図（ａ）は第８の変形例、同図（ｂ）は第９の変形例をそれぞれ示すものである。
【図４４】ドットパターンの読み取りを説明するためのものであり、同図（ａ）は第１の読み取り例、同図（ｂ）は第２の読み取り例をそれぞれ示すものである。
【図４５】図４４に続き、ドットパターンの読み取りを説明するためのものであり、同図は第３の読み取り例を示すものである。
【図４６】キャリブレーションの実施形態１を示し、キャリブレーション方法を説明するためのものであり、同図はディスプレイに対するキャリブレーション方法およびキャリブレーションに用いる情報入力補助シート（グリッドシート）についての説明図である。
【図４７】キャリブレーションの実施形態１を示し、ディスプレイに対するキャリブレーション方法の他の実施例に係る説明図である。
【図４８】キャリブレーションの実施形態１を示し、印刷媒体（印刷物）に対するキャリブレーション方法およびキャリブレーションに用いる情報入力補助シート（グリッドシート）についての説明図である。
【図４９】キャリブレーションの実施形態１を示し、印刷媒体（印刷物）に対するキャリブレーション方法の他の実施例に係る説明図である。
【図５０】キャリブレーションの実施形態１を示し、キャリブレーションマークが１個の場合の、ディスプレイに対するキャリブレーション方法の実施例に係る説明図である。
【図５１】キャリブレーションの実施形態１を示し、キャリブレーションマークが２個の場合の、印刷媒体（印刷物）に対するキャリブレーション方法の実施例に係る説明図である。
【図５２】キャリブレーションの実施形態２を示し、明るさをキャリブレーションする場合に、ドットパターンにコード値とＸＹ座標値が定義されている実施例に係る説明図である。
【図５３】キャリブレーションの実施形態２を示し、明るさをキャリブレーションする場合に、ドットパターンにＸＹ座標値が定義されている実施例に係る説明図である。
【図５４】キャリブレーションの実施形態３を示し、サイズをキャリブレーションする場合に、ドットパターンにコード値とＸＹ座標値が定義されている実施例に係る説明図である。
【図５５】キャリブレーションの実施形態３を示し、サイズをキャリブレーションする場合に、ドットパターンにＸＹ座標値が定義されている実施例に係る説明図である。
【発明を実施するための形態】
【００４４】
本発明の情報入力補助シートの指向性反射層に関する第１から第１２までの実施形態について図１から図１５を参照して説明し、本発明の情報入力補助シートのドットパターン層に関する第１１および第１２までの実施形態について図１４から図２５を参照して説明する。
【００４５】
さらに、本発明の情報入力補助シートの指向性反射層の中で赤外線を拡散反射する赤外線拡散層に関する第１から第８までの実施形態について図１から図１１を参照して説明し、本発明の情報入力補助シートの指向性反射層の中で赤外線を再帰性反射する赤外線再帰性反射層に関する第１１から第１２までの実施形態について図１４から図１５を参照して説明する。
【００４６】
（グリッドシートの構成）
図１（ａ）は、本発明のグリッドシートをスキャナによって読み取る様子を示した断面図であり、図１（ｂ）は、レンズによって読み取られた撮像画像を示す図である。図１（ａ）に示すように、グリッドシート１は、スキャナが照射する赤外線ＩＲによってディスプレイの表示に関連した情報を読み取るために、スキャナ側から、保護用透明シート（保護層）２と、赤外線（図中、符号「ＩＲ」を指し、以下、「赤外線ＩＲ」とも記載する。赤外線の波長を特定する場合は「赤外線ＩＲ〜」と記す。）を吸収する特性材料を含有するドット３が印刷されたドットパターン層４（保護層２の裏側にドットパターンを印刷）と、ドットパターン層４に隣接して設けられ、塗布されたポリマー分子９によって赤外線を選択してその反射光をグリッドシート１の法線に対する入射角αと異なる反射角β方向に拡散反射する赤外線拡散層５と、赤外線拡散層５に隣接して設けられ、赤外線の反射光をグリッドシート１の法線に対する入射角と同じ反射角方向に鏡面反射するとともに、可視光を透過させる赤外線反射層６と、を備える。赤外線拡散層５を赤外線拡散反射層としてもよい。赤外線拡散層５が十分に赤外線を反射できれば、赤外線反射層６は必要なくなる。
【００４７】
保護用透明シート２は、ビニール、エンビペット、ポリプロピレン等、可視光線および赤外線を透過する材料で生成されている。スキャナによるドット３へのタッチを繰り返すと、ドット３からなるドットパターン７が磨耗して読み取れなくなることがあるので、ドットパターン７を長期間に渡って正確に読み取らせるため、保護用透明シート２を設けてドット３の磨耗や汚れの付着を防いでいる。ドットパターンを読み取り面の反対側に印刷すれば、完全にドットを保護できる。
【００４８】
ドットパターン層４には、赤外線を吸収するカーボンインク等の特性材料を含有するドット３を所定の情報を表す規則に従って印刷したドットパターン７が設けられている。
【００４９】
赤外線拡散層５は、支持体８と、支持体８に塗布されたポリマー分子９を有する。保護用透明シート２を透過した赤外線は、赤外線拡散層５に塗布されたポリマー分子９によってグリッドシート１の法線に対する入射角αと異なる反射角β方向に拡散反射される。赤外線拡散層５が赤外線反射層６を兼用する場合は、ビニール、エンビペット、ポリプロピレン等、可視光線を透過する材料で生成された蒸着用透明シートに、赤外線を拡散反射するポリマー分子９を蒸着させる。なお、支持体８を必要としない成型方法もある。
【００５０】
赤外線反射層６は、ビニール、エンビペット、ポリプロピレン等、可視光線を透過する材料で生成された蒸着用透明シートに、赤外線を反射するポリマー分子９が蒸着されている。赤外線拡散層５を透過した赤外線は、赤外線反射層６に蒸着されたポリマー分子９によってグリッドシート１の法線に対する入射角と同じ反射角方向に鏡面反射される。赤外線反射層６は、可視光を透過させ、ディスプレイからの赤外線を遮断する。
【００５１】
（スキャナの構成）
スキャナは、ディスプレイの表示画面上に配置されたグリッドシート１に赤外線を照射する２つのＩＲ−ＬＥＤと、２つのＩＲ−ＬＥＤの間に設けられ、赤外線の反射光を受光するレンズと、レンズの受光した反射光の所定波長成分をカットするＩＲフィルターと、赤外線をグリッドシート１に均一に照射するためのディフューザーと、撮像素子であるＣ−ＭＯＳセンサを備える。ＩＲ−ＬＥＤは、照射される赤外線が十分であれば１つでもよい。
【００５２】
スキャナのＣ−ＭＯＳセンサは、グリッドシート１に照射した赤外線の反射光を撮影する。ドットパターン７は赤外線を吸収する特性材料を含むインクで印刷されているため、Ｃ−ＭＯＳセンサの撮像画像では、赤外線が吸収されて戻ってこないドット３の部分のみ黒く撮影される。
【００５３】
ＩＲ−ＬＥＤから照射された赤外線は、赤外線拡散層５で拡散反射され、赤外線拡散層５を透過した赤外線は、赤外線反射層６で鏡面反射される。スキャナのレンズは、赤外線拡散層５の拡散反射によって、図１（ｂ）に示すように全ての撮影領域の赤外線ＩＲの反射光を受光することができる。赤外線反射層６の鏡面反射によってグリッドシート１の法線に対する明るさが補われて明るく鮮明なドットパターン７が撮影され、ドットコートの正確な解析が可能となる。赤外線拡散層５が十分に赤外線を反射でき明るく鮮明なドットパターン７が撮影されれば、赤外線反射層６を兼用できる。
【００５４】
なお、保護用透明シート２を設けることは必須ではないが、保護用透明シート２に隣接してドットパターン層４、ドットパターン層４に隣接して赤外線拡散層５、赤外線拡散層５に隣接して赤外線反射層６を設けるときは、赤外線反射層６を設けることも必須ではない。赤外線反射光ＩＲの明るさが不足する場合は、ＩＲ−ＬＥＤの照度を上げて対応してもよい。
【００５５】
図２（ａ）は、本発明のグリッドシートをスキャナによって斜めに読み取る様子を示した断面図であり、図２（ｂ）は、レンズによって読み取られた撮像画像を示す図である。図２（ａ）では、グリッドシート１に赤外線反射層６を設けず、直接、赤外線拡散層５をディスプレイの表示画面上に配置している。
【００５６】
図２（ｂ）に示すように、ＩＲ−ＬＥＤから照射された赤外線は、赤外線拡散層５で拡散反射されるので、スキャナのレンズは、スキャナのグリッドシート１に対する接地角によらず、全ての撮影領域の赤外線反射光を受光することができる。ただし、スキャナを傾ける角度によって、傾けた側は明るいが逆側は暗くなり赤外線反射光を受光できない場合もある。
【００５７】
[第１の実施形態]
（赤外線拡散層のセル）
図３は、本発明の第１から第６の実施形態のグリッドシートの赤外線拡散層のセルを模試的に示す投影図である。図３に示すように、赤外線拡散層５のセル１０は、例えば、ポリマー分子９が一方向にそろった分子配列を有する層が複数積層されたコレステリック規則性を有する液晶ポリマーで、隣接する層ごとに少しずつねじれた螺旋構造を有する。
【００５８】
コレステリック規則性を有する液晶であれば、カイラルネマチック液晶またはコレステリック液晶等でもよいし、ネマティック規則性またはスメクティック規則性を呈する液晶材料にカイラル剤等を加えてねじれを形成してもよい。
【００５９】
セル１０は、ポリマー分子９の螺旋のピッチＰ１と液晶の平均屈折率Ｒ１の積によって決定される波長の赤外線ＩＲの入射光だけを螺旋構造の螺旋軸ＳＡに対して対象に選択して反射する。選択された波長が赤外線なので、液晶は透明になる。
【００６０】
なお、セル１０の形状は図３に示すような円柱または角柱などの柱状に限定されない。円盤状、ラクビーボール型の楕円体、アンパン型、またはラクビーボール型とアンパン型を組み合わせもの等であってもよい。
【００６１】
（赤外線拡散層）
図４は、本発明の第１の実施形態のグリッドシートの赤外線拡散層の拡散反射について模式的に説明する断面図である。図４に示すように、第１の実施形態のグリッドシート１の赤外線拡散層５は、赤外線ＩＲを選択反射するように同方向にポリマー分子９が積層された複数のセル１０のグリッドシート１平面に対する配向角度を不規則に変えて配置したもので、例えば、液晶ポリマーに表面のレベリング性・フロー性などを向上する目的で使用されるレベリング剤等の表面調整剤を添加し、熱および振動を加えて生成したものである。
【００６２】
赤外線拡散層５は、各セル１０のグリッドシート１平面に対する配向角度を変えて配置してあるので、螺旋軸ＳＡの向きがグリッドシート１と垂直に配置されないセル１０を多く含むことになり、ＩＲ−ＬＥＤから照射された赤外線は、セル１０のポリマー分子９によってグリッドシート１に対する入射角αと異なる反射角β方向に反射される。赤外線拡散層５の各セル１０の螺旋軸ＳＡの向きが隣り合うセル１０で不規則に変わるので、赤外線の反射光は拡散して反射する。
【００６３】
赤外線拡散層５の拡散反射により、スキャナのレンズは、ＩＲ−ＬＥＤから照射された赤外線の全ての撮影領域の反射光を受光することができるため、図１（ｂ）に示すように、図２４及び図２５に示すような赤外線反射光を受光できない受光不能領域はなくなる。ただし、スキャナを傾ける角度によって、傾けた側は明るいが逆側は暗くなり赤外線反射光を受光できない領域もある。
【００６４】
ドットパターン層４のドット３の大きさは約５０μmであり、赤外線拡散層５のセル１０の大きさは数nmから数十nmなので、ドットパターン層４の１個のドット３に対応する赤外線拡散層５のセル１０のポリマー分子１９は、数百個から数千個となる。数百個から数千個のセル１０のポリマー分子１９の拡散反射により１個のドット３の画像を撮影しているので、μレベルの極微細な領域の赤外線反射光をｎレベルで確実に読み取ることができる。
【００６５】
（赤外線反射層）
赤外線反射層６は、赤外線を選択反射するように同方向にポリマー分子９が積層されたセル１０の螺旋軸ＳＡの向きがグリッドシート１と垂直になるよう複数のセル１０を配向して形成される。ＩＲ−ＬＥＤから照射された赤外線は、赤外線拡散層５で拡散反射され、赤外線拡散層５を透過した赤外線ＩＲは、赤外線反射層６で鏡面反射される。赤外線拡散層５が十分に赤外線を反射でき明るく鮮明なドットパターン７が撮影されれば、赤外線反射層６を兼用できる。
【００６６】
第１の実施形態によれば、ポリマー分子９が同方向に積層された複数のセル１０の配向角度を不規則に変えて配置したので、スキャナのレンズは、全ての撮影領域の赤外線の反射光を受光することができる。ただし、スキャナを傾ける角度によって、傾けた側は明るいが逆側は暗くなり赤外線反射光を受光できない領域もある。
【００６７】
[第２の実施形態] 
（赤外線拡散層）
図５は、本発明の第２の実施形態のグリッドシートの赤外線拡散層の拡散反射について模式的に説明する断面図である。図５に示すように、第２の実施形態のグリッドシート２１の赤外線拡散層２５は、赤外線を選択反射するように同方向にポリマー分子９が積層された複数のセル１０のグリッドシート２１平面に対する配向角度を、規則的に変化させて配置したものである。
【００６８】
ＩＲ−ＬＥＤから赤外線が照射されるとき、赤外線拡散層２５のセル１０のグリッドシート２１平面に対する配向角度が規則的に変化しているので、螺旋軸ＳＡの向きも規則的に変化し、セル１０のポリマー分子９によって反射される赤外線は、ｎレベルで粗密を繰り返して均等に拡散反射される。
【００６９】
赤外線拡散層２５の拡散反射により、スキャナのレンズは、スキャナのグリッドシート２１平面に対する接触角によらず、ＩＲ−ＬＥＤから照射された赤外線の全ての撮影領域の反射光を受光することができる。スキャナを傾けた場合の傾斜外方向の領域からの赤外線反射光の明るさが不足する場合、または、スキャナの外部から赤外線を照射する場合において、撮影領域の周辺領域からの赤外線反射光の明るさが不足する場合は、ＩＲ−ＬＥＤの照度を上げるようにする。ＩＲ−ＬＥＤが所定の間隔をおいて所定の時間照射する場合は、照射時間を長くしてもよい。その他の方法としては、ＩＲ−ＬＥＤに供給する電流を上げるか、撮像時のゲインを上げてもよい。
【００７０】
第２の実施形態によれば、ポリマー分子９が同方向に積層された複数のセル１０の配向角度を規則的に変化させて配置したので、赤外線の反射光はｎレベルで粗密を繰り返すが、スキャナのレンズは全ての撮影領域において拡散反射された赤外線の反射光を受光することができる。スキャナを傾けた場合の傾斜外方向の領域や、撮影領域の周辺領域は、入射する光量が減少するため、受光する赤外線の反射光も減少する。
【００７１】
[第３の実施形態]
（赤外線拡散層）
図６は、本発明の第３の実施形態のグリッドシートの赤外線拡散層の拡散反射について模式的に説明する断面図である。図６に示すように、第３の実施形態のグリッドシート３１の赤外線拡散層３５は、選択反射する赤外線の波長がＩＲ１、ＩＲ２、ＩＲ３と異なる複数のセル１０、２０、３０の配向角度を不規則に変えて配置したものである。
【００７２】
セル１０、２０、３０は、セル１０、２０、３０のポリマー分子１９、２９０９の螺旋のピッチと液晶の平均屈折率の積を変えることによって、例えば、セル１０が選択反射する赤外線ＩＲ１を８４０ｎｍ近傍、セル２０が選択反射する赤外線ＩＲ２を８５０ｎｍ近傍、セル３０が選択反射する赤外線ＩＲ３を８６０ｎｍ近傍、で赤外線反射ピーク波長とすることができる。これで、赤外線ＩＲ１〜ＩＲ２〜ＩＲ３の間の赤外線も反射できる（図６（ｂ））。ここでは、ＩＲ１からＩＲ３としたが、さらにその間を分割してセル２０が選択反射する波長の赤外線を選択反射することもできる。
【００７３】
赤外線反射層３６は、同じく赤外線ＩＲ１、ＩＲ２、ＩＲ３を選択反射するポリマー分子１９、２９０９が同方向に積層されたセル１０、２０、３０の螺旋構造の螺旋軸ＳＡ１、ＳＡ２、ＳＡ３の向きがグリッドシート３１と垂直になるように複数のセル１０、２０、３０を順番に配置して形成される。
【００７４】
赤外線拡散層３５のセル１０、２０、３０は、それぞれ配向角度を不規則に変えて配置してあるので、螺旋軸ＳＡ１、ＳＡ２、ＳＡ３の向きがグリッドシート３１と垂直に配置されないセル１０、２０、３０を多く有する。赤外線拡散層３５は、螺旋軸ＳＡ１、ＳＡ２、ＳＡ３の向きがグリッドシート３１と垂直に配置されないセル１０のポリマー分子１９、２９０９によってＩＲ−ＬＥＤから照射された赤外線ＩＲ１、ＩＲ２、ＩＲ３を入射角αと異なる反射角β方向に拡散反射する。
【００７５】
例えば、ＩＲ−ＬＥＤから赤外線ＩＲ１が照射されるとき、照射された赤外線ＩＲ１は、セル１０のポリマー分子１９によって拡散反射されるが、セル２０およびセル３０を透過する。ＩＲ−ＬＥＤから赤外線ＩＲ２が照射されるとき、照射された赤外線ＩＲ２は、セル２０のポリマー分子２９によって拡散反射されるが、セル１０およびセル３０を透過する。ＩＲ−ＬＥＤから赤外線ＩＲ３が照射されるとき、照射された赤外線ＩＲ３は、セル３０のポリマー分子３９によって赤外線ＩＲ３が拡散反射されるが、セル１０およびセル２０を透過する。各ＩＲ−ＬＥＤの赤外線反射ピークが隣接している場合は、他の波長のセル２０において一部の赤外線が透過し、一部が拡散反射される。
【００７６】
ＩＲ−ＬＥＤから赤外線ＩＲ１から赤外線ＩＲ３までの波長帯の赤外線が照射されるとき、セル１０のポリマー分子１９が赤外線ＩＲ１を、セル２０のポリマー分子２９が赤外線ＩＲ２を、セル３０のポリマー分子３９が赤外線ＩＲ３を選択して拡散反射する。
【００７７】
ＩＲ−ＬＥＤから照射された赤外線ＩＲ１から赤外線ＩＲ３までの波長の赤外線は、赤外線拡散層３５で拡散反射され、赤外線拡散層３５を透過した赤外線ＩＲ１から赤外線ＩＲ３は、赤外線反射層３６で鏡面反射されるので、スキャナのレンズは、ＩＲ−ＬＥＤが照射した赤外線ＩＲ１から赤外線ＩＲ３までの波長の赤外線を受光し、Ｃ−ＭＯＳセンサは、明るく鮮明なドットパターンを撮影することができる。ただし、スキャナを傾ける角度によって、傾けた側は明るいが逆側は暗くなり赤外線反射光を受光できない領域もある。
【００７８】
なお、赤外線反射層３６を設けることは必須ではなく、赤外線反射光ＩＲの明るさが不足する場合は、赤外線拡散層５が十分に赤外線を反射でき明るく鮮明なドットパターン７が撮影されれば、赤外線反射層６を兼用できる。また、ＩＲ−ＬＥＤの照度を上げて対応してもよい。ＩＲ−ＬＥＤが所定の間隔をおいて所定の時間照射する場合は、その間隔を短くするか、および／または照射時間を長くしてもよい。
【００７９】
[第４の実施形態]
（赤外線拡散層）
図７は、本発明の第４の実施形態のグリッドシートの赤外線拡散層の拡散反射について模式的に説明する断面図である。図７に示すように、第４の実施形態のグリッドシート４１の赤外線拡散層４５は、選択反射する赤外線の波長がＩＲ１、ＩＲ２、ＩＲ３と異なる複数種類のセル１０、２０、３０の配向角度を鏡面反射するセルの割合が１／３になるように規則性を保ちながら、かつセル１０、２０、３０が順番に鏡面反射するように配置したものである。ここでは、ＩＲ１からＩＲ３としたが、さらにその間を分割してセル２０が選択反射する波長の赤外線を選択反射することができる。
【００８０】
鏡面反射するセルの割合が１／３になるように、かつセル１０、２０、３０が順番に鏡面反射するように配置しているので、赤外線ＩＲ１、ＩＲ２、またはＩＲ３が単独で照射されるとき、および、ＩＲ−ＬＥＤから赤外線ＩＲ１から赤外線ＩＲ３までの波長帯の赤外線が照射されるとき、グリッドシート４１の法線方向に対して最低限の赤外線ＩＲ１、ＩＲ２、またはＩＲ３の反射光が保障される。
【００８１】
[第５の実施形態]
（赤外線拡散層）
図８は、本発明の第５の実施形態のグリッドシートの赤外線拡散層の拡散反射について模式的に説明する断面図である。図８に示すように、第５の実施形態のグリッドシート５１の赤外線拡散層５５は、選択反射する赤外線の波長がＩＲ１、ＩＲ２、ＩＲ３と異なる複数種類のセル１０、２０、３０の配向角度を鏡面反射するセルの割合が１／２になるように規則性を保ちながら、かつセル１０、２０、３０が順番に鏡面反射するように配置したものである。ここでは、ＩＲ１からＩＲ３としたが、さらにその間を分割してセル２０が選択反射する波長の赤外線を選択反射することができる。
【００８２】
鏡面反射するセルの割合が１／２になるように、かつセル１０、２０、３０が順番に鏡面反射するように配置しているので、赤外線ＩＲ１、ＩＲ２、またはＩＲ３が単独で照射されるとき、および、ＩＲ−ＬＥＤから赤外線ＩＲ１から赤外線ＩＲ３までの波長帯の赤外線が照射されるとき、グリッドシート５１の法線方向に対する赤外線ＩＲ１、ＩＲ２、ＩＲ３の反射光の量が第５の実施形態よりより多くなる。
【００８３】
[第６の実施形態]
（赤外線拡散層）
図９は、本発明の第６の実施形態のグリッドシートの赤外線拡散層の拡散反射について模式的に説明する断面図である。図９に示すように、第６の実施形態のグリッドシート６１の赤外線拡散層６５は、赤外線ＩＲを反射するセル１０を粉砕して、セル１０と同じ屈折率を有する溶剤６８に混合して支持体８に塗布したものである。粉砕されたセル１０は、溶剤６８に混入された際に、様々な方向を向いて配置され、当該様々な方向を向いて配置された状態が当該溶剤６８中で維持される。
【００８４】
粉砕されたセル１０個々の表面はｎレベルで様々な方向を向いて配置されることによって赤外線ＩＲが拡散反射される。溶剤６８の屈折率をセル１０と同じ屈折率にすることにより、様々な方向に表面が向くセル１０の表面で可視光が全反射を生じて白濁することを避け、透明シートとして使用することができる。
【００８５】
[第７の実施形態]
（赤外線拡散層のセル）
図１０は、本発明の第７の実施形態のグリッドシートの赤外線拡散層のセルを模試的に示す投影図である。図１０に示すように、セル７０は、例えば、一方向にそろった分子配列を有するポリマー分子７９が複数斜めになった状態で積層されたネマティック性を有する液晶ポリマーで、隣接する層ごとに少しずつねじれた螺旋構造を有する。
【００８６】
セル７０は、ポリマー分子７９の螺旋のピッチＰ２と液晶の平均屈折率Ｒ２の積によって決定される波長の赤外線ＩＲ４の入射光だけを柱状のセル７０に対して斜めに形成される螺旋構造の螺旋軸ＳＡ４に対して対象に選択反射する。選択された波長が赤外線なので、液晶は透明になる。
【００８７】
[第８の実施形態] 
（赤外線拡散層）
図１１は、本発明の第８の実施形態のグリッドシートの赤外線拡散層の拡散反射について模式的に説明する断面図である。図１１に示すように、第８の実施形態のグリッドシート８１の赤外線拡散層８５は、赤外線ＩＲ４を選択反射するように斜め同方向にポリマー分子７９が積層された複数の柱状のセル７０がグリッドシート８１に沿って並行になるように配置される。
【００８８】
赤外線拡散層８５は、螺旋軸ＳＡ４の向きがグリッドシート８１と垂直に配置されないセル７０を多く含むことになる。ＩＲ−ＬＥＤから照射された赤外線ＩＲ１は、セル７０のポリマー分子７９によってグリッドシート８１に対する入射角αと異なる反射角β方向に反射される。赤外線拡散層８５の各セル７０の螺旋軸ＳＡ４の向きが隣り合うセル７０で不規則に変わるので、赤外線ＩＲ４の反射光は拡散して反射される。
【００８９】
赤外線拡散層８５の拡散反射により、スキャナのレンズは、スキャナのＩＲ−ＬＥＤから照射された赤外線ＩＲ４の全ての撮影領域の反射光を受光することができる。
【００９０】
赤外線拡散層８５の拡散反射により、スキャナのレンズは、スキャナのグリッドシート８１平面に対する接触角によらず、ＩＲ−ＬＥＤから照射された赤外線ＩＲ４の全ての撮影領域の反射光を受光することができる。スキャナを傾けた場合の傾斜外方向の領域からの赤外線反射光の明るさが不足する場合、または、スキャナの外部から赤外線を照射する場合において、撮影領域の周辺領域からの赤外線反射光の明るさが不足する場合は、ＩＲ−ＬＥＤの照度を上げるようにする。ＩＲ−ＬＥＤが所定の間隔をおいて所定の時間照射する場合は、照射時間を長くしてもよい。その他の方法としては、ＩＲ−ＬＥＤに供給する電流を上げるか、撮像時のゲインを上げてもよい。
【００９１】
[第９の実施形態]
（赤外線再帰性反射層）
図１２は、本発明の第９の実施形態のグリッドシートの赤外線再帰性反射層の再帰性反射について模式的に説明した断面図である。図１２に示すように、第９の実施形態のグリッドシート９１の赤外線再帰性反射層９５は、透明基材９８ａと透明基材９８ｂとの間に、両面に設けられた中間層９６ａおよび中間層９６ｂを介して底部の頂点が直角を有する三角錐形状の凹部９２が二次元配列された表面層９０ａと裏面が平坦に形成された透光体９０ｂを有する光学機能層９０が設けられる。
【００９２】
光学機能層９０の凹部９２は、ほぼ同一の形状とサイズで形成されるが、領域毎にまたは周期的に頂点の角度またはサイズを微細に変えるようにしてもよい。例えば、三角錐形状の凹部９２の頂点間の間隔を数十μｍ〜数百μｍ、凹部９２の深さを１０μｍ〜１００μｍとし、凹部９２の深さ寸法／平面寸法を例えば０．５以上とする。
【００９３】
透光体９０ｂは、透明な樹脂材料で形成されており、例えば、熱可塑性樹脂、熱硬化性樹脂、エネルギー線硬化樹脂などで形成されている。特に、透光体９０ｂに好ましいポリマーにとしては、ポリカーボネート、ポリメチルメタクリレート、ポリエチレンテレフタレート及び多官能アクリレート又はエポキシ等の架橋アクリレート並びにアクリ化ウレタンと一官能及び多官能モノマーとの配合物などがある。透光体９０ｂは、光学機能層９０を支持する支持体としての機能を有し、所定厚みのフィルム状、シート状あるいはプレート状に形成される。
【００９４】
表面層９０ａは、赤外線帯域の光を反射し、可視光帯域の光を透過させる光学多層膜を含み、赤外領域において反射率の高い金属層と、可視領域において屈折率が高く反射防止層として機能する光学透明層または透明導電膜とを、交互に積層してなる積層膜で形成される。
【００９５】
赤外領域において反射率の高い金属層は、例えば、Ａｕ、Ａｇ、Ｃｕ、Ａｌ、Ｎｉ、Ｃｒ、Ｔｉ、Ｐｄ、Ｃｏ、Ｓｉ、Ｔａ、Ｗ、Ｍｏ、Ｇｅなどの単体、またはこれらの単体を２種以上含む合金を主成分とする。また、金属層の材料として合金を用いる場合には、金属層は、ＡｌＣｕ、ＡｌＴｉ、ＡｌＣｒ、ＡｌＣｏ、ＡｌＮｄＣｕ、ＡｌＭｇＣｕ、ＡｇＰｄＣｕ、ＡｇＰｄＴｉ、ＡｇＣｕＴｉ、ＡｇＰｄＣａｇＰｄＭｇ、ＡｇＰｄＦｅなどを用いる。
【００９６】
光学透明層は、例えば、酸化ニオブ、酸化タンタル、酸化チタンなどの高誘電体を主成分とする。透明導電膜は、例えば、酸化亜鉛、インジウムドープ酸化錫などを主成分とする。
【００９７】
表面層９０ａは、無機材料からなる薄膜の多層膜に限定されるものではなく、高分子材料からなる薄膜や高分子中に微粒子などを分散した層が積層された膜でもよい。表面層９０ａは、透光体９０ｂ上に赤外線帯域の光を反射できるほぼ均一な膜厚ｄ１に形成される。
【００９８】
透光体９０ｂは、透光体９０ｂは、１４０℃以上、あるいは１５０℃以上、あるいは１７０℃以上の温度に軟化点を有する樹脂材料で形成される。透光体９０ｂは、１４０℃かつ周波数１Ｈｚで１．０×１０−６Ｐａ以上の損失弾性率を有する。貯蔵弾性率が１．０×１０−６Ｐａ未満の場合、熱圧着時に表面層９０ａの形状が崩れ、再帰反射性が低下するおそれがある。
【００９９】
光学機能層９０と透明基材９８ａとの間に形成される中間層９６ａは、光学機能層９０の表面層９０ａを包埋する。このため中間層９６ａは、グリッドシート９１を透過する像の鮮明性を確保するべく、透光体９０ｂの屈折率とほぼ同等の屈折率とする。
【０１００】
中間層９６ａおよび中間層９６ｂは、透明な熱可塑性樹脂で形成され、中間層９６ｂは、透明粘着層９７ｂによって光学機能層９０の透光体９０ｂを透明基材９８ｂに接着させ、中間層９６ａは、透明粘着層９７ａによって光学機能層９０の表面層９０ａを透明基材９８ａに接着させる。
【０１０１】
中間層９６ａおよび中間層９６ｂの材料としては、例えばエチレンビニルアセテート（ＥＶＡ）、ポリビニルアルコール（ＰＶＡ）、ポリビニルブチラール（ＰＶＢ）などの１３０℃以下の温度に軟化点を有するポリマー等の樹脂材料を用いる。
【０１０２】
図１２に示すように、三角錐形状の凹部９２が二次元配列された表面層９０ａの断面は、直角二等辺三角形なので、グリッドシート９１に照射された赤外線ＩＲは、ドットパターン層４をおよび透明基材９８ａを透過して光学機能層９０の表面層９０ａに形成された直角二等辺三角形の凹部９２の一辺で鏡面反射され、対抗する直角二等辺三角形の斜面で再び鏡面反射される。
【０１０３】
このように、スキャナのＩＲ−ＬＥＤからグリッドシート９１に照射された赤外線ＩＲは、ドットパターン層４を透過し、透明基材９８ａおよび中間層９６ａで屈折されて、直角二等辺三角形の直角を挟む２つの辺で鏡面反射されることで、その入射方向であるスキャナのＩＲ−ＬＥＤに指向性をもって再帰性反射される。スキャナのＩＲ−ＬＥＤの横にあるレンズが再帰反射された赤外線ＩＲの反射光を受光できるように直角二等辺三角形の凹部の角度を微調整する。
【０１０４】
また、可視光は、光学機能層９０の表面層９０ａおよび透光体９０ｂを透過して透明基材９８ｂ側から出射される。これにより、グリッドシート９１の下のディスプレイの表示を視認することができる。
【０１０５】
第９の実施形態によれば、赤外線再帰性反射層９５の再帰性反射により、スキャナのＩＲ−ＬＥＤから照射された赤外線ＩＲは、スキャナに戻ってレンズによって受光される。これによって、スキャナのグリッドシート９１平面に対する接触角によらず、ＩＲ−ＬＥＤから照射された赤外線ＩＲの全ての撮影領域の反射光を受光することができる。
【０１０６】
[第１０の実施形態]
（赤外線再帰性反射層）
図１３は、本発明の第１０の実施形態のグリッドシートの赤外線再帰性反射層の再帰性反射について模式的に説明した断面図である。図１３に示すように、第１０の実施形態のグリッドシート１０１の赤外線再帰性層１０５は、透明樹脂バインダ材１０８ａと透明樹脂バインダ材１０８ｂとの間に、ビーズ層１０３ｂと、ビーズ層１０３ｂのビーズ１０３を固定する半球状の凹部１０２が二次元配列されたビーズ反射層１０３ａを有する光学機能層１００が設けられる。
【０１０７】
ビーズ１０３は、真球度が高く透明なものであればガラス、樹脂いずれでもよく、ビーズ１０３全体を含有する状態で透明樹脂バインダ材１０８によって固定される。透明樹脂バインダ材１０８は、透明な樹脂材料で形成されており、透明樹脂バインダ材１０８の材質は透明であれば特に限定されるものではないが、アクリル系樹脂、エポキシ樹脂、ポリフッカビニリデン樹脂、ポリエステル、ポリイミド、ポリオレフィン樹脂、塩化ビニール樹脂、及びこれらのブレンド材等である。透明樹脂バインダ材１０８ｂは、光学機能層１００を支持する支持体としての機能を有し、所定厚みのフィルム状、シート状あるいはプレート状に形成される。
【０１０８】
このビーズ層１０３ｂによる焦点の位置は、ビーズ１０３のサイズ及び屈折率、ビーズ層１０３ｂの厚さ及び透明樹脂バインダ材１０８の屈折率により決定される。ビーズ１０３はガラスの粒径約４０〜６０μｍ程度で揃っているものを用いるが、０．１ｍｍ以上の大型のものを用いてもよい。ビーズ１０３の屈折率は、焦点位置がビーズ１０３の球面になるように例えば２．２程度の高屈折率とする。
【０１０９】
ビーズ反射層１０３ａはアルミの蒸着膜、或いは、銀等の電極塗膜或いはその他光学的に反射特性を持つもので形成される。ビーズ反射層１０３ａは、ビーズ層１０３ｂに沿って赤外線帯域の光を反射できるほぼ均一な膜厚ｄ２に形成される。
【０１１０】
グリッドシート１０１に照射された赤外線ＩＲは、ドットパターン層４および透明樹脂バインダ材１０８ａを透過し、ビーズ層１０３ｂで屈折して焦点位置にあるビーズ反射層１０３ａ表面で反射して、再びビーズ層１０３ｂで屈折して、その入射方向に指向性をもつように再帰性反射される。可視光は、光学機能層１００のビーズ層１０３ｂおよびビーズ反射層１０３ａを透過して透明樹脂バインダ材１０８ｂ側から出射する。これにより、グリッドシートの下のディスプレイの表示を視認することができる。
【０１１１】
このように、スキャナのＩＲ−ＬＥＤからグリッドシート１０１に照射された赤外線ＩＲは、ビーズ層１０３ｂで屈折して焦点位置にあるビーズ反射層１０３ａ表面で反射して、再びビーズ層１０３ｂで屈折することで、その入射方向であるスキャナのＩＲ−ＬＥＤに指向性をもって再帰性反射される。スキャナのＩＲ−ＬＥＤの横にあるレンズが再帰反射された赤外線ＩＲの反射光を受光できるようにビーズ１０３とビーズ反射層１０３ａ表面の凹部１０２の距離を微調整する。
【０１１２】
第１０の実施形態によれば、赤外線再帰性反射層１０５の再帰性反射により、スキャナのＩＲ−ＬＥＤから照射された赤外線ＩＲは、スキャナに戻ってレンズによって受光される。これによって、スキャナのグリッドシート１０１平面に対する接触角によらず、ＩＲ−ＬＥＤから照射された赤外線ＩＲの全ての撮影領域の反射光を受光することができる。
【０１１３】
[第１１の実施形態] 
図１４は、本発明のグリッドシートを印刷物に使用した例を示す図であり、図１５は、図１４の印刷物に用いた本発明の第１１の実施形態のグリッドシートを拡大して模式的に示す図である。図１４の印刷物には、吸収する赤外線の波長が異なるインクで印刷された複数のドット■、●、○、□が印刷されているが、グリッドシート１１１のドット■、●、○、□の大きさは約５０μｍであり、目視しづらい。図１５の縦横方向の格子線および斜め方向の線は説明のために付したものであり、実際の印刷面には存在していない。また、図１５のドット■、●、○、□の形状は説明のためのものであってドットの形状および色は図１５に限定されない。
【０１１４】
また、同図では、四隅の基準ドットを結んだ斜め方向の線の交点を仮想格子点として、この仮想格子点を基準に情報ドットを配置している。しかしこれは、生成時におけるドットパターンの状態を示しているに過ぎない。実際には、スキャナを傾けたり紙面が湾曲したりしているときには、ドットパターンが変形するため、基準ドットを斜めに結んで仮想格子点を算出するわけではない。
仮想基準点の算出については、図３８で詳述する。
【０１１５】
図１５に示すように、例えば、グリッドシート１１１のドットパターン層１１４には、仮想的な格子を形成する四隅の基準格子点ドット■と、四隅の基準格子点ドット■で囲まれた格子の中心の仮想格子点１１２を始点としてベクトルにより表現した終点に配置して情報を認識させる情報ドット●および情報ドット○と、ブロックの四隅の角部にある４個の基準格子点ドット■を一定方向にずらして１ブロック分のドットパターンを示すキードット□が印刷されている。
【０１１６】
情報ドット●および情報ドット○は、仮想格子点１１２を始点とするベクトルの方向と長さで表現される。例えば、仮想格子点１１２から長短の距離で、仮想格子点１１２を中心として情報ドット●または情報ドット○を時計方向に４５度ずつ回転させて８方向に配置することによって基準格子１個で４ビットが表現される。１ブロックは１６個の基準格子１１３からなるので、1ブロックのドットパターン１で４ビット×１６個＝６４ビットを表現することができる。
【０１１７】
図１５では、例えば、少なくとも基準格子１１３内に８４０ｎｍ近傍をピーク波長とする赤外線ＩＲ１を最も吸収するインクで印刷された情報ドット●と、少なくとも８６０ｎｍ近傍をピーク波長とする赤外線ＩＲ１を最も吸収するインクで印刷された情報ドット○の２つの情報ドット●、○が設けられる。
【０１１８】
図１６は、本発明の第１１の実施形態のグリッドシートのドットパターン層と赤外線拡散層を模式的に示す断面図である。図１６に示すように、グリッドシート１１１は、例えば、８４０ｎｍの波長の赤外線ＩＲ１を吸収する情報ドット●と、８６０ｎｍの波長の赤外線ＩＲ１を吸収する情報ドット○等を所定の規則に従って配列したドットパターン層１１４と、選択反射する赤外線の波長がＩＲ１、ＩＲ２、ＩＲ３と異なる複数のセル１０、２０、３０の配向角度を不規則に変えて配置した第３の実施形態の赤外線拡散層３５とを備える。ここでは、ＩＲ１からＩＲ３としたが、さらにその間を分割してセル２０が選択反射する波長の赤外線を選択反射することができる。
【０１１９】
図１７は、本発明のグリッドシートに赤外線を照射するＩＲ−ＬＥＤ１の出力特性の例を示す図である。図１７に示すように、ＩＲ−ＬＥＤ１は、波長８４０ｎｍに鋭い出力ピークを有する。図１８は、ＩＲ−ＬＥＤ１から８４０ｎｍの赤外線を基準格子に照射したときの情報ドットの赤外線吸収率について説明する図である。
【０１２０】
スキャナから赤外線ＩＲ１が基準格子１１３に照射されると、情報ドット●は赤外線ＩＲ1を吸収する特性材料を含有するインクで印刷されているため、赤外線ＩＲ１は情報ドット●によって多量に吸収され、Ｃ−ＭＯＳセンサは、情報ドット●の部分が濃い黒の画像で撮像される。情報ドット○は赤外線ＩＲ１を吸収しないので、赤外線ＩＲ１は情報ドット○を透過して赤外線拡散層３５に到達し、赤外線拡散層３５のセル１０のポリマー分子１９によって拡散反射されるので、Ｃ−ＭＯＳセンサには情報ドット○の画像は薄い黒で撮影される。つまり、情報ドット○が一部だけ赤外線ＩＲ１を吸収し、残りの赤外線が反射され薄い黒で撮像される。情報ドット●と情報ドット○は、閾値により情報ドット●との識別が可能である。
【０１２１】
図１９は、本発明のグリッドシートに赤外線を照射するＩＲ−ＬＥＤ２の出力特性の例を示す図である。図１９に示すように、ＩＲ−ＬＥＤ２は、８６０ｎｍに鋭い出力ピークを有する。図２０は、ＩＲ−ＬＥＤ２から８６０ｎｍの赤外線を基準格子に照射したときの情報ドットの赤外線吸収率について説明する図である。
【０１２２】
基準格子１１３に赤外線ＩＲ２を照射すると、情報ドット●は赤外線ＩＲ２を一部しか吸収しないので、残りの赤外線ＩＲ２は情報ドット３４を透過して赤外線拡散層３５に到達し、赤外線拡散層３５のセル２０のポリマー分子２９によって拡散反射された赤外線ＩＲ２がＣ−ＭＯＳセンサによって捕えられ、薄い黒で撮像される。情報ドット○は赤外線ＩＲ２を吸収する特性材料を含むインクで印刷されているので赤外線ＩＲ２を多量に吸収するため、Ｃ−ＭＯＳセンサでは、情報ドット○が濃い黒の画像で撮像される。つまり、情報ドット●が一部だけ赤外線ＩＲ１を吸収し、残りの赤外線が反射され薄く撮影される。情報ドット●と情報ドット○は、閾値により情報ドット●との識別が可能である。
【０１２３】
図２１は、本発明のグリッドシートに赤外線を照射するＩＲ−ＬＥＤ３の出力特性の例を示す図である。図２２は、ＩＲ−ＬＥＤ３から８４０ｎｍから８６０ｎｍの波長帯の赤外線を基準格子に照射したときの情報ドットの赤外線吸収率について説明する図である。図２１に示すように、ＩＲ−ＬＥＤ３は、８４０ｎｍから８６０ｎｍの波長帯に出力ピークを有するが、一つの波長に出力ピークを有する複数のＩＲ−ＬＥＤ１およびＩＲ−ＬＥＤ２等を組み合わせて図２１の出力特性が得られるようにしてもよい。
【０１２４】
情報ドット●は赤外線ＩＲ1を吸収する特性材料を含有するインクで印刷されているので赤外線ＩＲ１を吸収し、情報ドット○は赤外線ＩＲ２を吸収する特性材料を含有するインクで印刷されているので赤外線ＩＲ２を吸収する。Ｃ−ＭＯＳセンサでは、情報ドット●および情報ドット○が黒く撮影された撮像画像を得ることができる。
【０１２５】
第１１の実施形態によれば、赤外線拡散層３５に選択反射する赤外線の波長がＩＲ１、ＩＲ２、ＩＲ３の複数種類のセル１０、２０、３０を設け、ドットパターン層１１４の基準格子１１３内に赤外線Ｒ１を吸収するインクで印刷された情報ドット●および赤外線Ｒ２を吸収するインクで印刷された情報ドット○を配置する。赤外線Ｒ１または赤外線Ｒ２のいずれかを使用して、当該赤外線の波長を多量に吸収するインクで印刷された基準ドットと情報ドットを真値とし他方の情報ドットを偽値とする。真値となる情報ドットを印刷したインクの赤外線吸収波長と同一の赤外線Ｒ１またはＲ２でドットパターンを照射すれば、照射した赤外線を吸収するドットが濃い黒の画像で撮像できることから、真値の情報ドットからドットコードを取得できる。なお、薄い黒で撮像された情報ドットを真値としてもよい。なお、基準ドットについても薄い黒の画像となってもよい。
【０１２６】
また、スキャナに搭載されたＩＲ−ＬＥＤの波長は計測すれば赤外線波長が分かることから、セキュリティ性を高めるために、赤外線Ｒ１および赤外線Ｒ２を連続して照射し、真値を取得するための波長のＩＲ−ＬＥＤで照射した際の情報ドットでコード値を求めればよい。なお、赤外線Ｒ３も合わせて使用してもよい。さらに、セキュリティを高めるために、赤外線Ｒ１、２（および赤外線Ｒ３）で照射した際の濃い黒で撮影された情報ドットを使用してコード値を求め、そのコード値の一部に定義された情報で、情報ドット毎にいずれの波長で照射されたＩＲ−ＬＥＤを基に撮像された画像かを定義し、各情報ドットの真値を求めドットコードを算定すればよい。前述したように、一部もしくは全部を薄い黒で撮像された情報ドットの画像を真値としてもよい。また、スキャナの使用者だけが備えられたボタン操作によって、真値を取得するための波長のＩＲ−ＬＥＤを照射してもよい。この場合、赤外線Ｒ１、２のいずれかまたは、両方を連続照射して情報ドットの真値を求めるが、スキャナの通常使用では赤外線Ｒ３が照射されるようにしてもよい。
【０１２７】
つまり、グリッドシート１１１の連続する同じ領域内に異なる波長光の赤外線を吸収するインクで印刷した複数種類のドットからなるドットパターンを印刷することで、連続する同じ領域内にドットパターンに関連した異なる情報を記憶して照射する赤外線の波長光によって情報を出力させることができる。さらに、グリッドシート１１１を小片のシールとし、セキュリティ（真贋判定）やトレーサビリティとして使用することもできる。これによって、赤外線を鏡面反射または透過するような材料で形成された媒体や構造物に上記シールを貼付してドットのみを正確に認識することができる。ここで、ドットを完全に不可視とするためには、赤外線を吸収するインクでドットを印刷してもよいし、重畳印刷するとドットが判別できない色で、且つ赤外線を吸収しないインクで重畳印刷すればよい。以上のセキュリティシステムは、グリッドシートを使用しない通常の赤外線を拡散反射する媒体に複数の異なる赤外線吸収インクでドットパターンを印刷して使用してもよい。
【０１２８】
さらに、第１１の実施形態によれば、赤外線Ｒ１からＲ３に至る複数の波長帯にピークを有する赤外線を照射すれば、赤外線Ｒ１を吸収する情報ドット●および赤外線Ｒ２を吸収する情報ドット○等の複数の撮像画像を同時に取得することもできる。
【０１２９】
情報ドット●および情報ドット○について説明したが、基準格子点ドット■またはキードット□についても同様であり、ドットパターン層１１４に印刷されるドットは、情報ドット●、情報ドット○、基準格子点ドット■、およびキードット□に限定されない。赤外線を吸収する特性材料を含むインクで印刷されたドットであれば、どのようなものでもよい。
【０１３０】
なお、吸収する赤外線の波長光が異なる複数のドット●、○を印刷する領域は、基準格子１１３内に限定されない。領域のサイズや形状によらず、連続する領域内であればそこに吸収する赤外線の波長光が異なる複数のドット●、○を印刷するようにすればよい。
【０１３１】
[第１２の実施の形態] 
図２３は、図１４の印刷物に用いた本発明の第１２の実施形態のグリッドシートを模式的に示す断面図である。図２３に示すように、グリッドシート１２１のドットパターン層１２４には、１６個の格子領域ごとに吸収する赤外線の波長を変えた２個の情報ドットが印刷されている。
【０１３２】
情報ドット●を波長８４０ｎｍの赤外線ＩＲ１、情報ドット○を波長８６０ｎｍの赤外線ＩＲ２を吸収するインクで印刷された格子領域を白色で示し、情報ドット●を波長８６０ｎｍの赤外線ＩＲ１、情報ドット○を波長８４０ｎｍの赤外線ＩＲ２を吸収するインクで印刷された格子領域を斜線入りで示されている。
【０１３３】
例えば、情報ドット●を真値、情報ドット○を偽値とした場合、図１７に示される出力特性を有するＩＲ−ＬＥＤ１によってグリッドシート１００を照射すると、Ｃ−ＭＯＳセンサには、白色の格子領域の情報ドット●が濃い黒で撮像され、斜線入りの格子領域の情報ドット○が薄い黒で撮像される。図１９に示される出力特性を有するＩＲ−ＬＥＤ２によってグリッドシート１２１を照射すると、Ｃ−ＭＯＳセンサには、斜線入りの格子領域の情報ドット●が濃い黒で撮像され、白色の格子領域の情報ドット○が薄い黒で撮像される。つまり、真偽の判定は、白色の格子領域ではＩＲ−ＬＥＤ１によって濃い黒で撮像されたドットが真値となり、斜線入りの格子領域ではＩＲ−ＬＥＤ２によって濃い黒で撮像されたドットが真値となる。ＩＲ−ＬＥＤ１だけを使用する場合は、白色の格子領域では濃い黒で撮像されたドットが真値となり、斜線入りの格子領域では薄い黒で撮像されたドットが偽値となる。もちろん、ＩＲ−ＬＥＤ２だけを使用する場合は、その逆となることは言うまでもない。なお、白色と斜線入りの格子領域がどの位置に配置されるかは、当然ながら関係者以外は秘密としてセキュリティ性を確保しなければならない。一方、基準ドット■、キードット□については、ＩＲ−ＬＥＤ１とＩＲ−ＬＥＤ２の両方を使用する場合は、波長８４０ｎｍまたは波長８６０ｎｍのいずれの赤外線を吸収するインクを使用してもよい。ＩＲ−ＬＥＤ１だけを使用する場合は、波長８４０ｎｍの赤外線を吸収するインクを使用するのが望ましい。波長８４０ｎｍおよび波長８６０ｎｍの両方の赤外線を吸収するインクで印刷してもよい。なお、図示しないが、偽値のキードット△を真値のキードット□とは異なる波長の赤外線を吸収するインクで印刷し、基準ドット■の周辺に配置することにより、ドットパターンの向きや領域を正しく認識できないようにし、さらにセキュリティ性を高めることもできる。
【０１３４】
図２１に示される出力特性を有するＩＲ−ＬＥＤ３によってグリッドシート１２１を照射すると、Ｃ−ＭＯＳセンサには、基準ドット■、キードット□および情報ドット●、○が全て黒く撮像される。ＩＲ−ＬＥＤ１またはＩＲ−ＬＥＤ２との組み合わせで使用することにより、薄い黒で撮像される真の情報ドットもＩＲ−ＬＥＤ３により、濃い黒で撮像されるため正確に位置認識ができる。
【０１３５】
第１２の実施形態によれば、グリッドシート1２１の赤外線拡散層３５に選択反射する赤外線の波長がＩＲ１、ＩＲ２、ＩＲ３の少なくともいずれかが異なる複数種類のセル１０、２０、３０を設け、セル１０、２０、３０で反射する赤外線の波長とは異なるＩＲ−ＬＥＤによってリッドシート１２１を照射すると、全領域で赤外線が反射しないため濃い黒色になる。従って、ドットのみを黒色で、他の領域を白色で撮像するには、ドットが印刷されるインクが吸収する赤外線の波長および赤外線を照射するＩＲ−ＬＥＤの波長は、セル１０、２０、３０で反射される赤外線の波長に含まれる必要がある。つまり、グリッドシート１２１の異なる格子領域毎に異なる波長光の赤外線を吸収する複数種類のドットからなるドットパターンを印刷することで、ドットパターンの印刷された領域と照射する赤外線の波長光が一致しなければ、ドットパターンに関連した情報が出力できないように情報を保護することができる。
【０１３６】
上記のように複数の赤外線波長で反応を変化させることができると、格子領域で異なる波長の赤外線を吸収する情報ドットを配置すると、対応する波長のＩＲ−ＬＥＤで照射することにより、異なる情報を取得することも可能である。
【０１３７】
さらに、第１２の実施形態によれば、赤外線Ｒ１からＲ３に至る複数の波長帯にピークを有する赤外線を照射すれば、赤外線Ｒ１を吸収する情報ドット●および赤外線Ｒ２を吸収する情報ドット○等の複数の撮像画像を同時に取得することもできる。
【０１３８】
なお、複数種類の異なるドット●、○を印刷する領域は、格子領域に限定されない。領域のサイズや形状によらず、ブロック毎に吸収する赤外線の波長が異なるドットを印刷するようにすればよい。
【０１３９】
以上のセキュリティシステムは、グリッドシートを使用しない通常の赤外線を拡散反射する媒体に複数の異なる赤外線吸収インクでドットパターンを印刷して使用してもよい。
【０１４０】
[図２６を用いた第１３の実施形態]
図２６を用いて、第１３の実施形態について説明する。
【０１４１】
本実施形態の特徴は、拡散反射層を有する拡散反射シート２１０のドットパターン読み取り面にドットパターン２２０を印刷した点である。
【０１４２】
図２６（ａ）は、拡散反射シート２１０のドットパターン読み取り面の反対面（以下、「裏面」という。）側に、媒体としてディスプレイ２３０を配置したものである。同図（ｂ）は、前記裏面面側に、媒体としてガラス等の透明媒体２４０を配置したものである。同図（ｃ）は、前記裏面側に、媒体として紙等の印刷媒体２５０を配置したものである。
【０１４３】
なお、図２６中、「２００」は、情報入力補助シート（グリッドシートともいう。）、「２２１」はドットを示すものである。
【０１４４】
なお、図示はしないが、拡散反射は、実際には、拡散反射シート２１０内部のセル毎に行われている。
【０１４５】
[図２７を用いた第１４の実施形態]
図２７を用いて、第１４の実施形態について説明する。
【０１４６】
本実施形態の特徴は、拡散反射層を有する拡散反射シート２１０のドットパターン読み取り面の前面側に、ドット２２１を保護するための保護層２６０を配置した点である。
【０１４７】
図２７（ａ）は、拡散反射シート２１０のドットパターン読み取り面の反対面（以下、「裏面」という。）側に、媒体としてディスプレイ２３０を配置したものである。同図（ｂ）は、前記裏面側に、媒体としてガラス等の透明媒体２４０を配置したものである。同図（ｃ）は、前記裏面側に、媒体として紙等の印刷媒体２５０を配置したものである。
【０１４８】
[図２８を用いた第１５の実施形態]
図２８を用いて、第１５の実施形態について説明する。
【０１４９】
本実施形態の特徴は、透明シート２７０のドットパターン読み取り面の反対面（以下、「裏面」という。）に、ドットパターン２２０を印刷した点である。
【０１５０】
本実施形態によれば、透明シート２７０の前記裏面にドットパターン２２０を印刷することで、当該透明シート２７０をドット２２１を保護するための保護層として機能させることができる。
【０１５１】
図２８（ａ）は、透明シート２７０の裏面側に、拡散反射シート２１０をはさんで、媒体としてディスプレイ２３０を配置したものである。同図（ｂ）は、前記裏面側に、拡散反射シート２１０をはさんで、媒体としてガラス等の透明媒体２４０を配置したものである。同図（ｃ）は、前記裏面側に、拡散反射シート２１０をはさんで、媒体として紙等の印刷媒体２５０を配置したものである。
【０１５２】
[図２８を用いた第１５の実施形態]
図２８を用いて、第１５の実施形態について説明する。
【０１５３】
本実施形態の特徴は、情報入力補助シート２００を、ディスプレイ装置のディスプレイ２３０（媒体）の所定の媒体面、例えば表示面上または該媒体面近傍に貼付または配置された点である。
【０１５４】
なお、ディスプレイ２３０として、図２８に示すように、ＰＣ２９０用のディスプレイ装置を例示したが、これに限定されず、ノート型ＰＣ、タブレット型ＰＣ、ＴＶ、携帯電話、スマートフォン、各種の電子機器のディスプレイやタッチスクリーン（タッチパネル）でもよい。
【０１５５】
光学読み取り装置２８０は、透明シートのドットパターン読み取り面側に接触または離反してドットパターンを読み取る。
【０１５６】
光学的読み取り装置２８０は、ＵＳＢケーブルなどを介して、有線であるいは無線で、ＰＣ２９０などの情報処理装置に接続されている。
【０１５７】
[図３０の説明]
図３０は、ドットを説明するための説明図であり、同図（ａ）は読み取った２５６諧調画像の写真である。同図（ｂ）は、２値化画像からドットの中心座標値を求め、各中心座標値をテーブルにしたものである。このテーブルを元に復号化手段で情報（コード値）に復号化する。
【０１５８】
＜ドットパターンの説明＞
つぎに、ドットパターンの一例について、図３１〜４５を用いて以下に説明する。
【０１５９】
ドットパターンの態様としては、次の例がある。
【０１６０】
なお、ドットパターンの態様は、次の（１）〜（４）に限定されない。
【０１６１】
（１）第１の例（「ＧＲＩＤ０」、図３３〜３７）
（２）第２の例（「ＧＲＩＤ１」、図３５（ａ）および図３６（ａ）、図３８）
（３）第３の例（「ＧＲＩＤ５」、図３９〜４３）
上記第１〜第３の例における情報ドットについて、次の例を用いて説明する。
【０１６２】
なお、情報ドットの例は、次の（５）および（６）に限定されない。
【０１６３】
（４）情報ドットのとらえ方（図３１）
（５）情報ドットのコードの割り当て（図３２）
（６）ドットパターンの読み取り（図４４および図４５）
【０１６４】
＜図３１の情報ドットのとらえ方＞
情報ドットのとらえ方は、図３１（ａ）〜（e）に示す通りである。
【０１６５】
なお、情報ドットのとらえ方は、図３１（ａ）〜（e）の例に限定されない。
【０１６６】
すなわち、図３１（ａ）に示すように、情報ドットを仮想点の上下左右、斜めに配置するほか、情報ドットを配置しない場合、仮想点に情報ドットを配置するか、配置しない場合も含めて情報量を増やすことが可能である。  図３１（ｂ）は、２行×２列の計４個の仮想領域内に情報ドットを配置したものであるが、境界付近に情報ドットを配置すると誤認識が発生する可能性があるので、図３１（ｃ）は、一定の間隔をおいて隣り合う仮想領域を配置した実施例である。  なお、４個の仮想領域内に複数個の情報ドットを配置したり、情報ドットを配置しない場合も含めて情報量を増やすことが可能である。
【０１６７】
図３１（ｄ）は、３行×３列の計９個の仮想領域内に情報ドットを配置したものである。なお、９個の仮想領域内に複数個の情報ドットを配置したり、情報ドットを配置しない場合も含めて情報量を増やすことが可能である。
【０１６８】
図３１（e）は、正方形の中点および対角線を全て直線あるいは仮想線で結び、計８個の仮想領域内に情報ドットを配置したものである。なお、８個の仮想領域内に複数個の情報ドットを配置したり、情報ドットを配置しない場合も含めて情報量を増やすことが可能である。
【０１６９】
図３１（ｂ）〜（e）の仮想領域は矩形または三角形であるが、図３１（ｃ）のように、仮想領域が互いに接する必要もなく、円形や他の多角形など、どのような形状であっても構わない。さらに、その仮想領域の数を増やすことによって情報量を増大できる。なお、仮想領域への情報ドットの配置は、図３１（ａ）で示された、仮想点から所定の方向に所定の距離だけずれて配置される情報ドットの配置方法と同一である。なぜなら、印刷データを作成するに当たって、どのような仮想領域に配置する場合も、いずれかの位置を示す座標データで配置位置を決定する必要があり、仮想点からずれて配置するために座標データを算定することと何ら変わりがない。また、ドットを読み取る際も、いずれの配置方法であっても、ドットパターンを撮像した画像において、情報ドットが配置される可能性のある複数の配置位置を中心に円形かまたは矩形等のドット認識判定領域を設定し、そのドット認識判定領域内にドットがあるかどうかを判定してドットを認識することからも、同一の情報ドット読み取り方法と言える。
【０１７０】
＜図３２の情報ドットのコードの割り当て＞
情報ドットのコードの割り当ては、図３２（ａ）〜（ｃ）に示す通りである。
【０１７１】
すなわち、図３２（ａ）に示すように、例えばカンパニーコードなどの「コード値」に全て割り当ててもよいし、同図（ｂ）に示すように、１つのコードフォーマットとして「Ｘ座標値」と「Ｙ座標値」の２つのデータ領域に割り当ててもよいし、あるいは同図（ｃ）に示すように、「コード値」、「Ｘ座標値」、「Ｙ座標値」の３つのデータ領域に割り当ててもよい。長方形の領域に座標値を割り当てる場合は、データ量を削減するために「Ｘ座標値」、「Ｙ座標値」のデータ領域は異なってもよい。さらに、図示しないが位置座標における高さを定義するために「Ｚ座標値」をさらに割り当ててもよい。なお、「Ｘ座標値」、「Ｙ座標値」を割り当てた場合は、位置情報のため、Ｘ、Ｙ座標の＋方向に座標値が所定量だけ増分するため、全てのドットパターンは同一ではなくなる。また、図３２（ａ）〜（ｃ）から明らかなように、割り当てるコードの種類を増やすほど、ドット認識判定領域が小さくなり、情報ドットの配置位置を正しく認識しづらくなる。
【０１７２】
＜第１の例（「ＧＲＩＤ０」）、図３３〜３７＞
ドットパターンの第１の例は、本出願人は「ＧＲＩＤ０」との仮称で呼んでいる。
【０１７３】
「ＧＲＩＤ０」の特徴は、キードットを用いることで、ドットパターンの範囲や方向の少なくとも一つを認識できるようにしたものである。
【０１７４】
「ＧＲＩＤ０」は、図３３〜３７に示すように、次の構成を備える。
【０１７５】
（１）情報ドット
情報ドットは、情報を記憶するためのものである。
【０１７６】
なお、情報ドットのとらえ方は、図３１（ａ）〜（ｅ）に示した通りであり、また、情報ドットのコードの割り当ては図３２（ａ）〜（ｃ）に示した通りである。
【０１７７】
なお、情報ドットを配置しない場合、仮想点に情報ドットを配置するか、配置しない場合も含めて情報量を増やすことが可能である。
【０１７８】
（２）基準ドット
基準ドットは、予め設定された複数の位置に配置されたものである。
【０１７９】
基準ドットは、後述する仮想点あるいは仮想領域の位置を特定するためのものである。
【０１８０】
（３）キードット
キードットは、基準ドットをずらして配置されるか、または図３４に示すように、基準ドットの配置位置からずれた位置に加えて配置されるものである。つまり、基準ドットをずらして配置される場合は、基準ドットがずれるため元の基準ドットの配置位置には基準ドットがなくなる。そこで、キードットは元の基準ドットの役割も担うことになり、元の基準ドットの位置を他の基準ドットの配置から推定できるようにすることが望ましい。基準ドットの配置位置からずれた位置に加えて配置された場合は、基準ドットとキードットの２つが近傍に配置されることになる。
【０１８１】
キードットは、基準ドットと仮想点に対する情報ドット、あるいは基準ドットと仮想領域中に配置する情報ドットの基準となる方向を特定するものである。この基準となる方向が定まることにより、仮想点に対する情報ドットの方向で情報を与え、読み取ることが可能となる。さらに１つのデータを複数の情報ドットで定義するドットパターンの範囲を特定することもできる。これにより、ドットパターンが上下左右に並べられていても、ドットパターンの範囲を読み取りデータを復号化することができる。
【０１８２】
（４）仮想点あるいは仮想領域
仮想点あるいは仮想領域は、基準ドットの配置により特定されるものである。図３５に仮想点からの距離と方向の少なくともいずれかで情報を定義する場合、方向については、前述したキードットによるドットパターンの方向を基準として情報を定義すればよい。距離については、所定の基準ドット間の距離を基準にすればよい。なお、仮想領域を配置して情報を定義する場合は、情報を１個付与するための複数の仮想領域の中心もしくは代表点を仮想点として、上記と同様に基準点の配置で仮想点の位置を特定し、さらに仮想点からの距離と方向で仮想領域を定義してもよい。また、基準ドットの配置から、全ての仮想領域の配置位置を直接特定してもよい。なお、隣り合う仮想領域は連結してもよいが、その場合境界付近に情報ドットを配置すると誤認識が送る可能性があるので、一定の間隔を置いて仮想領域を配置した方が望ましい。
【０１８３】
図３３は、「ＧＲＩＤ０」のドットパターンの汎用例を示すものであり、同（ａ）は基準ドットを略プラスの文字形に配置した例、同（ｂ）は情報ドットの配置個数を増加した例、同（ｃ）は基準ドットを六角形に配置した例をそれぞれ示すものである。
【０１８４】
なお、ドットパターンの汎用例は、図３３（ａ）〜（ｃ）に例示した略プラスの文字形や略六角形に限定されない。
図３４は、図３３の変形例を示し、キードットを基準ドットの配置位置からずれた位置に加えて配置したものであり、その結果、基準ドットとキードットの２つが近傍に配置されることになる。
【０１８５】
図３５は、「ＧＲＩＤ０」のドットパターンの変形例を示すものであり、同（ａ）は基準ドットを略方形に配置した例、同（ｂ）は基準ドットを略Ｌ字形に配置した例、同（ｃ）は基準ドットを略十字架形あるいは略プラス形に配置した例をそれぞれ示すものである。
【０１８６】
なお、ドットパターンの変形例は、図３５（ａ）〜（ｃ）に例示した略方形、略Ｌ字形、あるいは略十字架形あるいは略プラス形に限定されない。
【０１８７】
図３６〜図３７は、「ＧＲＩＤ０」のドットパターンを連結例ないし連接例を示すものであり、同図（ａ）は基準ドットを略方形に配置したドットパターンを、その基準ドットの一部が共通するように隣接させて複数配置した連結例である。連結ができる条件は、１つのドットパターンの上下および／または左右の両端のドットの位置が必ず同一位置とならなければならない。なお、上下または左右のみ連結してもよい。同図（ｂ）は基準ドットを略Ｌ字形に配置したドットパターンを相互に独立させて複数配置した第１の連接例をそれぞれ示すものである。図３７（ａ）は、基準ドットをプラス形に配置したドットパターンを相互に独立させて複数配置した第２の連接例を示すものである。なお、連接とは、ドットパターンを所定の間隔をおいて上下左右に並べる方法である。図３７（ｂ）は、基準ドットを六角形に配置したドットパターンを、その基準ドットの一部が共通するように隣接させて複数配置した連結例である。
【０１８８】
また、ドットパターンを連結例ないし連接例は、図３６（ａ）および（ｂ）ならびに図３７に例示した配置に限定されない。
【０１８９】
＜第２の例（「ＧＲＩＤ１」）＞
ドットパターンの第２の例は、本出願人は「ＧＲＩＤ１」との仮称で呼んでいる。
【０１９０】
「ＧＲＩＤ１」は、図３５（ａ）に示すように「ＧＲＩＤ０」の基準ドットの配置を限定したものであり、基準ドットを矩形状、例えば正方形や長方形に配置した点と仮想点をその周辺の４つの基準点の中心としたことを特徴とする。中心とは、図３８に示すように周辺の４点の基準点の座標値を４で除した座標値から算定される。これにより、光学読み取り装置を傾けてドットパターンを読み取る場合やレンズのゆがみ、ドットパターンが形成された印刷媒体の変形の影響などで、撮影画像においてドットパターンの配置が変形しても、４つの基準ドットと同様に情報ドットの配置が移動するため、隣接する４つの基準ドットの移動した配置によって相対的に情報ドットの配置が正確に算定され、認識率の低下が少ない。当然、図３５（ｂ）、（ｃ）のように、情報ドットが基準ドットと離れて配置された場合は、情報ドットの配置位置が正確に把握できず、誤認する場合がある。
【０１９１】
図面上は、図３５（ａ）の基準ドットを正方形に配置した変形例や、図３６（ａ）の上下左右にドットパターンを繰り返し配置し、周辺の基準ドットを重ねたドットパターンの連結例がある。
【０１９２】
なお、基準ドットを、図３５（ａ）に示すように、正方形に配置したが、これに限定されず、長方形に配置してもよい。また、基準ドットを、図３６（ａ）に示すように、連結させたが、これに限定されず、隣接するドットパターンを相互に独立させ所定の間隔で連接させて配置してもよい。
【０１９３】
＜第３の例（「ＧＲＩＤ５」）＞
ドットパターンの第３の例は、本出願人は「ＧＲＩＤ５」との仮称で呼んでいる。
【０１９４】
「ＧＲＩＤ５」は、「ＧＲＩＤ０」のキードットに代えて、「基準ドットの配置の仕方」によって、ドットパターンの範囲および方向を認識できるようにしたものである。「基準ドットの配置の仕方」でドットパターンの方向を認識するためには、基準ドットの配置がどのような点を中心にどれだけ回転（３６０°を除く）させても、回転前の配置と同一にならない非軸対称でなければならない。さらに、ドットパターンを上下および／または左右に複数繰り返し並べて連接または連結した場合にも、ドットパターンの範囲および向きが認識できる必要がある。
【０１９５】
なお、「ＧＲＩＤ０」として、キードットを含んでいても、キードットを基準ドットとして認識させ、「基準ドットの配置の仕方」により、キードットが無い「ＧＲＩＤ５」のドットパターンとして、その範囲や方向を認識できる。
【０１９６】
さらに、図４０〜４２に示すように、「ＧＲＩＤ５」の特殊な例として、「基準ドットの配置の仕方」でドットパターンの範囲のみを特定し、情報ドットの配置位置、つまり「仮想点の配置の仕方」や、所定の情報ドットの向きまたは配置法則によりドットパターンの向きを特定することができる。この場合は、基準ドットの配置がいずれかの点を中心に回転（３６０°を除く）させると、回転前の配置と同一になる軸対称であっても構わない。さらに、ドットパターンを上下および／または左右に複数繰り返し並べて連接または連結した場合にも、ドットパターンの範囲のみ認識できればよい。なお、本出願人はこれを「ディレクションドット」の仮称で呼んでいる。
【０１９７】
図３９は、「ＧＲＩＤ５」のドットパターンの汎用例を示すものであり、同（ａ）は基準ドットを上下方向に非対称な略ハウス形に配置した例、同（ｂ）は基準ドットを上下方向に非対称な略十字架形に配置した例、同（ｃ）は基準ドットを上下方向に非対称な略二等辺三角形に配置した例をそれぞれ示すものである。
【０１９８】
なお、ドットパターンの汎用例は、図３９（ａ）〜（ｃ）に例示した略ハウス形、略十字架形あるいは略三角形に限定されない。
【０１９９】
図４０は、ドットパターンの方向を定める「ディレクションドット」の汎用例を示すものであり、同（ａ）は基準ドットで情報ドットを取り囲むように正方形に配置し、その中心の情報ドットを「ディレクションドット」として、「ディレクションドット」のずらす方向でドットパターンの向きを定める。なお、他の情報ドットは＋×方向とする。同（ｂ）は、基準ドットを略プラスに配置し、その中心の「ディレクションドット」を一方向にずらして配置したものであり、当該「ディレクションドット」のずらす方向でドットパターンの向きを定める。同（ａ）、（ｂ）のドットパターンの向きを定める「ディレクションドット」の配置は、予め定めておけばどのような方向にずらして配置してよい。また、他の情報ドットも仮想点からの距離と方向でどのように定義してもよい。
【０２００】
図４１は、「ディレクションドット」の変形例を示すものであり、同（ａ）は基準ドットで情報ドットを取り囲むように正方形に配置し、＋方向の情報ドットを３か所に配置することによりドットパターンの向きを定める。なお、他の情報ドットは×方向とする。すなわち、他の情報ドットと情報ドットの配置規則を異ならせた「ディレクションドット」の配置の仕方によりドットパターンの向きを定める。
【０２０１】
図４１（ｂ）は、情報ドットを配置しないこと、つまり「仮想点の配置の仕方」により、ドットパターンの向きを定めた例である。すなわち、基準ドットを正方形に配置しているため、基準ドットの配置によりドットパターンの「向き」を特定できない。このため、正方形に配置された基準ドットの領域内に配置された「仮想点」の１か所に「基準ドット」を配置しないことで、つまり「仮想点の配置の仕方」により、ドットパターンの「向き」を決める。なお、「基準ドット」を配置しない「仮想点」は、上段の３か所、あるいは下段の３か所のいずれもよい。
【０２０２】
図４２は、「ディレクションドット」の変形例を示すものであり、同（ａ）は上下に基準ドットで配置し、その間に情報ドットを配置し、上下の中央を除く位置に、＋方向の情報ドットの配置によりドットパターンの向きを定める。なお、他の情報ドットは×方向とする。すなわち、他の情報ドットと情報ドットの配置規則を異ならせた「ディレクションドット」の配置の仕方によりドットパターンの向きを定める。同（ｂ）は、正三角形に基準ドットを配置して情報ドットを内外に矩形に配置することにより、ドットパターンの向きを決める。同（ｃ）は、同（ｂ）のドットパターンの連結例を示すものである。基準ドットを正三角形に配置したドットパターンを、その基準ドットの一部が共通するように隣接させて複数配置した連結例である。連結ができる条件は、１つのドットパターンの上下および／または左右の両端のドットの位置が必ず同一位置とならなければならない。なお、上下または左右のみ連結してもよい。なお、本実施例においては、正三角形の底辺の情報ドットを共有している。このように、ドットパターンを連結する際には、基準ドットだけでなく情報ドットを共有することも可能である。ただし、座標値のように、ドットパターン毎に値が変化するような場合においては、情報ドットを共有することはできない。
【０２０３】
図４３は、「ＧＲＩＤ５」のドットパターンの変形例を示すものであり、同（ａ）は基準ドットを上下に非対称な略方形に配置した例、同（ｂ）はキードットを併用し、基準ドットを上下に非対称な略Ｌ字形に配置した例、同（ｃ）はキードットを併用し、基準ドットを上下に非対称な略十字架形に配置した例をそれぞれ示すものである。
【０２０４】
なお、ドットパターンの汎用例は、図４３（ａ）〜（ｃ）に例示した上下に非対称な略方形、略Ｌ字形形あるいは略十字架形に限定されない。
【０２０５】
＜ドットパターンの読み取り＞
以上の「ＧＲＩＤ０」、「ＧＲＩＤ１」、「ＧＲＩＤ５」のドットパターンが所定の領域内で同じコード値が定義され、上下左右に繰り返し並べて配置される場合、図４４のように、当該ドットパターンの範囲と同じ大きさの範囲で任意の領域を読み取れば、本来のドットパターンを構成する情報ドットが、(1)〜(16)（図中は「丸１〜丸16」と記載している。）あるいは(1)〜(9)（図中は「丸１〜丸９」と記載している。）まで全て充足され、定義されたコード値全てが読み取ることができる。このように、情報ドットの配置はドットパターンの向きと範囲によって確定できるため、コード値として構成される情報ドットの配置法則も特定できる。さらに、図４５のように、任意の領域で読み取るドットパターンの範囲において、当該範囲を超えて左右どちらかの情報ドットを読み取った場合、当該情報ドットと反対側端部に位置する情報ドットとは、定義される数値が同一であり、仮想点に対して同一の方向に同一距離だけずれた位置に配置される。この２つの情報ドットを繋ぐ線分は水平線となり、この水平線を平行移動することにより、仮想点を通る水平線を正確に認識できる。平行移動量は、対応する基準ドットが存在すれば、基準ドットが水平線上に位置するまでの距離となる。さらに、上下方向に対しても同様な手順で垂直線を認識すれば、水平線と垂直線の交点の位置を求めることにより、正確に仮想点を求めることができる。この方法によれば、光学読み取り装置を傾けてドットパターンを撮像し、ドットの配置が大きく変形しても仮想点を正確に求めることができ、情報ドットが示す数値を正確に認識できる。
【０２０６】
＜キャリブレーションの説明＞
図４６〜５５は、情報入力補助シート７００（グリッドシート）を用いる際に行なうキャリブレーション（ｃａｌｉｂｒａｔｉｏｎ）について説明する図である。
【０２０７】
［キャリブレーションの実施形態１  位置関係のキャリブレーション］
キャリブレーションの実施形態１は、情報入力補助シート７００と、媒体７３０（ディスプレイ７３１または印刷媒体７３２）との位置を適正に関連付けるためのキャリブレーションである。
【０２０８】
ユーザが媒体７３０であるディスプレイ７３１または印刷媒体７３２（印刷物）をタッチした際に、タッチ位置に対応する処理を正確に反映されるためには、ディスプレイ７３１または印刷媒体７３２（印刷物）と、情報入力補助シート７００（グリッドシート）との位置関係を一致させる必要がある。そこで、ディスプレイ７３１または印刷媒体７３２（印刷物）の座標系と情報入力補助シート７００（グリッドシート）の座標系を適正に関連づけるためのキャリブレーションを行う。
【０２０９】
図４６〜４７は、ディスプレイ７３１の表示画面上でキャリブレーションを行なう場合について説明した図である。
【０２１０】
図４６は、情報入力補助シート７００（グリッドシート）にキャリブレーション用マーク７１０を設けた場合について説明する図である。
【０２１１】
図４６（ａ）に示すように、情報入力補助シート７００（グリッドシート）の一面側の四隅近傍には、キャリブレーション用マーク７１０が設けられている。なお、キャリブレーション用マーク７１０は、必ずしも四隅近傍に設けられている必要はなく、２以上の隅角部に設けられていればよく、あるいは、所定の２か所以上の位置に設けられていてもよい。
【０２１２】
所定の４か所の情報入力補助シート７００（グリッドシート）の座標系におけるマーク位置のドット座標値（xmi、ymi）に、ディスプレイ７３１の表示画像データの座標系におけるカーソル位置の座標値（Xci、Yci）を合致させることにより、様々な手法でキャリブレーションを実施できる。例えば、平面射影変換法では、グリッドシートの座標系における光学読み取り装置７４０（スキャナ）のタッチ位置のドット座標値（xt、yt）は下式で示す変換式でディスプレイの表示画像データの座標系における座標値（Xt、Yt）が求まる。なお、ディスプレイの表示画像データの座標系とは、ディスプレイ上の実寸の座標系ではなく、ディスプレイに画像を表示させるための画像記憶媒体（フレームバッファ）における座標系である。
Xt=(axt+bytc)／(gxt+hyt+1)
Yt=(dxt+eytf)／(gxt+hyt+1)
なお、キャリブレーションにより、４か所のマーク位置（xmi、ymi, i=1〜４）とカーソル位置（Xci、Yci、i=1〜４）が定まることから、それぞれを代入して８元連立方程式を解いて、a〜hを求めればよい。その他、所定の３か所以上の位置でのキャリブレーションでは、アフィン変換式やヘルマート変換式を用いることができる。なお、これらのキャリブレーション法のいずれも、図４６〜５１に示すキャリブレーションに適用できることはいうまでもない。
【０２１３】
図４６（ｂ）に示すように、ユーザは、キャリブレーション用マーク７１０にカーソルを移動し、マウスを左クリックする。パーソナルコンピュータの中央処理装置は、クリックされた位置を認識する。そして、ディスプレイ７３１の座標系と情報入力補助シート７００（グリッドシート）の座標系とを適正に関連付ける。これによりキャリブレーションが行なわれる。
【０２１４】
図４６においては、キャリブレーション用マーク７１０は、脱着可能な透明シール７２０に形成されている。ユーザは、キャリブレーション終了後に、図４６（ｃ）に示すように、シールを情報入力補助シート７００（グリッドシート）から剥離する。
【０２１５】
なお、キャリブレーション用マーク７１０は、透明シール７２０に形成されている場合の他、情報入力補助シート７００（グリッドシート）に直接印刷されていてもよい。また、情報入力補助シート７００（グリッドシート）上に除去可能な状態で設けられており、キャリブレーション終了後に情報入力補助シート７００（グリッドシート）上から除去されるようにしてもよい。
【０２１６】
図４７は、ディスプレイ７３１の表示画面にキャリブレーション用マーク７１０が表示される場合について説明した図である。
【０２１７】
図４７（ａ）に示すように、ディスプレイ７３１の四隅近傍には、キャリブレーション用マーク７１０が表示されている。なお、キャリブレーション用マーク７１０は、必ずしも四隅近傍に表示させる必要はなく、２以上の隅角部に表示させればよく、あるいは、所定の２か所以上の位置に表示させてもよい。
【０２１８】
ユーザは、図４７（ｃ）に示す如く、キャリブレーション用マーク７１０が表示されている位置の情報入力補助シート７００（グリッドシート）をタッチする。光学読み取り装置７４０（スキャナ）は、情報入力補助シート７００（グリッドシート）上のドットパターンを読み込んで、パーソナルコンピュータ（ＰＣ）に送信する。パーソナルコンピュータ（ＰＣ）の中央処理装置は、送信されたドットパターンからタッチ位置のドットＸＹ座標（Ｘ１，Ｙ１）を認識し、ディスプレイ７３１の座標系と情報入力補助シート７００（グリッドシート）の座標系を適正に関連づけるためのキャリブレーションを行う。
【０２１９】
なお、キャリブレーション終了後は、キャリブレーション用マーク７１０が表示されなくなるようにするのが望ましい。
【０２２０】
図４８〜４９は、印刷媒体７３２（印刷物）に対してキャリブレーションを行なう場合について説明した図である。
【０２２１】
図４８は、印刷媒体７３２（印刷物）と、印刷媒体７３２（印刷物）用の情報入力補助シート７００（グリッドシート）の両方にキャリブレーション用マーク７１０を設けた場合について説明した図である。
【０２２２】
図４８（ａ）に示すように、情報入力補助シート７００（グリッドシート）および印刷媒体７３２（印刷物）の四隅近傍には、それぞれキャリブレーション用マーク７１０が印刷されている。なお、キャリブレーション用マーク７１０は、必ずしも四隅近傍に印刷されている必要はなく、２以上の隅角部に印刷されていればよい。あるいは、所定の２か所以上の位置に印刷されてもよい。
【０２２３】
ユーザは、図４８（ｂ）に示すように、双方のキャリブレーション用マーク７１０を合致させて、情報入力補助シート７００（グリッドシート）を印刷媒体７３２（印刷物）上に被せる。これにより、印刷媒体７３２（印刷物）の座標系と情報入力補助シート７００（グリッドシート）の座標系を適正に関連づけるためのキャリブレーションが行なわれる。
【０２２４】
図４９は、印刷媒体７３２（印刷物）にのみキャリブレーション用マーク７１０が印刷されている場合について説明した図である。
【０２２５】
図４９（ａ）に示すように、印刷媒体７３２（印刷物）の四隅近傍には、それぞれキャリブレーション用マーク７１０が印刷されている。なお、キャリブレーション用マーク７１０は、必ずしも四隅近傍に印刷されている必要はなく、２以上の隅角部に印刷されていればよい。あるいは、所定の２か所以上の位置に印刷されてもよい。
【０２２６】
ユーザは、情報入力補助シート７００（グリッドシート）を印刷媒体７３２（印刷物）上に被せる。そして、図４９（ｂ）に示すように、光学読み取り装置７４０（スキャナ）を前記マークに合致させる。光学読み取り装置７４０（スキャナ）は、情報入力補助シート７００（グリッドシート）上のドットパターンを読み込み、パーソナルコンピュータ（ＰＣ）に送信する。パーソナルコンピュータ（ＰＣ）の中央処理装置は、送信されたドットパターンからタッチ位置の座標値（x1，y1）を認識し、印刷媒体７３２（印刷物）の座標系と情報入力補助シート７００（グリッドシート）の座標系を適正に関連づけるためのキャリブレーションを行う。
【０２２７】
このようなキャリブレーションを行なうことにより、情報入力補助シート７００（グリッドシート）の座標位置と、ディスプレイ７３１または印刷媒体７３２（印刷物）の画像との位置関係が一致し、ユーザがタッチした画像や文字に対応した情報の出力が正確に行なわれるようになる。
【０２２８】
なお、上述した各実施形態において、表示画面等に情報入力補助シート７００（グリッドシート）を用いる場合、粘着剤によって貼付して用いるほか、表示画面上部から情報入力補助シート７００（グリッドシート）を掛けて用いる等、他の方法によって用いてもよい。
【０２２９】
＜キャリブレーション用マークが１個の場合について＞
上述のキャリブレーション方法では、キャリブレーション用マークが２個以上必要であった。
【０２３０】
しかし、キャリブレーション用マークが１個のみであっても、キャリブレーションを行うことができる。以下、図５０〜５１を用いて説明する。
【０２３１】
グリッドシートの座標系におけるグリッドシート上の単位長さ当たりのドット座標値とディスプレイ７３１の表示画像データの座標系におけるディスプレイ上の単位長さ当たりの座標値または印刷媒体７３２（印刷物）の印刷データの座標系における印刷媒体上の単位長さ当たりの座標値を、予め情報処理装置の記憶手段に記憶させておく。さらに、光学読み取り装置７４０（スキャナ）でキャリブレーション用マークにタッチする際に所定の軸回転方向でタッチする。これにより、キャリブレーション用マークが１個であっても、キャリブレーションを実行することが可能となる。
【０２３２】
図５０（ａ）では、キャリブレーション用マークは、ディスプレイの所定の位置（図では中央）に設けられる。図５０（ｂ）では、キャリブレーション用マークは、印刷物の所定の位置（図では右下）に設けられる。ユーザは、光学読み取り装置で、キャリブレーション用マークをタッチする。光学読み取り装置をタッチした際の所定の軸回転方向からのグリッドシートの回転角（つまりディスプレイに対するグリッドシートの回転角）を求めて、キャリブレーションを行うことが可能である。
【０２３３】
ここで、グリッドシートの座標系におけるタッチ位置のドット座標値（xt、yt）を、座標変換してディスプレイの表示画像データの座標系における対応する座標値（Xt、Yt）を求める式を誘導する。
【０２３４】
グリッドシート上の単位長さ当たりのドット座標値をΔx、Δy、ディスプレイ上の単位長さ当たりの座標値をΔX、ΔYとすると、それぞれの座標軸の歪係数は、
αx＝ΔX／Δx、αy=ΔY／Δyとなる。なお、各軸の歪率が同一であれば、αx＝αyとなる。
【０２３５】
光学読み取り装置の軸回転方向をディスプレイの上向きに合致させ、キャリブレーション用マークをグリッドシートの上からタッチした場合において、ディスプレイの表示画像データの座標系におけるキャリブレーション用マークの座標値を（Xm、Ym）、グリッドシートにおけるタッチ位置のドット座標値を（xm、ym）、その際の光学読み取り装置に対するグリッドシートの回転角θmとすると、
【０２３６】
【数１】
2019194889.tif 000003
【０２３７】
となり、キャリブレーション用マークが１個のみの場合の座標変換式が求まる。この座標変換は、グリッドシートを印刷媒体７３２（印刷物）上に配置する場合も同様に使用できる。
【０２３８】
グリッドシートに比べて大きなディスプレイや印刷物に配置して使用する場合、ディスプレイや印刷物の隅角部にキャリブレーション用マークが配置されると、グリッドシートを隅角部すべてに配置できず、正確にキャリブレーションができないという問題が生じる。
【０２３９】
キャリブレーション用マークを１個とし、かつ、上式を用いれば、ディスプレイや印刷物に比べてグリッドシートが小さい場合であっても、正確にキャリブレーションを行うことができる。
【０２４０】
＜その他のキャリブレーション方法＞
図５１は、キャリブレーションのさらに他の方法について説明する図である。
【０２４１】
所定の軸回転方向に合致しないで光学読み取り装置でキャリブレーション用マークをタッチすると、正確なキャリブレーションを実施できない。その場合、ディスプレイまたは印刷媒体にキャリブレーション用マークを水平方向または垂直方向に２個配置して、下式によりディスプレイまたは印刷媒体に対するグリッドシートの傾きを求め、その傾きをθmとして前述の変換式で座標変換を実施すれば正確なキャリブレーションが行える。図８６（ａ）は、ディスプレイにキャリブレーション用マークを垂直方向に２個配置した場合、（ｂ）は、印刷媒体にキャリブレーション用マークを水平方向に２個配置した場合について示している。
【０２４２】
所定の2か所の情報入力補助シート７００（グリッドシート）の座標系におけるマーク位置のドット座標値（xm1、ym1）、（xm2、ym2）、ディスプレイ７３１の表示画像データの座標系におけるカーソル位置の座標値（Xc1、Yc1）、（Xc2、Yc2）とすると、
θm＝(ym2−ym1）／(xm2−xm1）
2か所のマーク位置が水平に配置された場合は、αx＝(Xc2−Xc1）／(xm2−xm1）
2か所のマーク位置が垂直に配置された場合は、αy＝(Yc2−Yc1）／(ym2−ym1）
ここで、なお、各軸の歪率が同一であれば、αx＝αy＝αとなることから、
【０２４３】
【数２】
2019194889.tif 000004
【０２４４】
となり、キャリブレーション用マークが２個の場合の座標変換式が求まる。この座標変換は、グリッドシートを印刷媒体７３２（印刷物）上に配置する場合も同様に使用できる。
【０２４５】
なお、上式でαx≠αyなど、歪率が不明な場合については、本座標変換式で使用するグリッドシート上の単位長さ当たりのドット座標値Δxおよび／またはΔyは、グリッドシートに座標値と共に定義されたコード値に直接定義または、コード値に対応する情報として予め記憶媒体に記録しておいてもよいことはいうまでもない。
【０２４６】
［キャリブレーションの実施形態２  明るさのキャリブレーション］
キャリブレーションの実施形態２は、光学読み取り装置７４０（スキャナ）の明るさを調整するためのキャリブレーションである。
【０２４７】
一つのスキャナを、印刷媒体７３２（通常の印刷物）とグリッドシートの両方で使用する場合、グリッドシートと通常の印刷物とでは、赤外線の反射特性が大きく異なる。
【０２４８】
通常の印刷物で適正な明るさの赤外線反射光から赤外線の光量を定めると、赤外線反射光が不足するためにドットを認識できずに、ドットコードの復号ができない場合が多々ある。そこで、一つのスキャナで使用するグリッドシートや様々な印刷物毎に、予め適正な明るさの赤外線反射光から赤外線の光量を定めるキャリブレーションを実施することが望ましい。
【０２４９】
その際に、グリッドシートや様々な印刷物に対して、それぞれに予め定めたキャリブレーション情報（赤外線光量）を使用するためには、各グリッドシートや各印刷物を識別できることが必要である。この識別は、グリッドシートや印刷物に印刷されたドットパターンにより行うことができる。
【０２５０】
図５２は、ドットパターンにXY座標値およびコード値が定義されている場合のドットコードフォーマットである。この場合、グリッドシート毎、印刷物毎に、それらを特定するためのグリッドシートＩＤ、印刷物ＩＤ等が、ドットパターン中にコード値として定義されている。
【０２５１】
図５３（ａ）は、ドットパターンに、XY座標値のみが定義されている場合のドットコードフォーマットである。この場合、グリッドシート、印刷物を特定するためのグリッドシートＩＤ、印刷物ＩＤ等は、スキャナ内部等のメモリに設けられた、同図（ｂ）に示すようなテーブルにより定義される。すなわち、グリッドシート毎、印刷物毎に、ユニークな座標範囲で形成される領域を判別し、グリッドシート、印刷物を特定できる。例えば、座標範囲が（X1〜X2、Y1〜Y2）で形成される領域の場合は、グリッドシートＩＤが１である。
【０２５２】
さらに、前述のように、スキャナを傾けた時など、赤外線反射光が不足する場合は、毎回の撮像画像の明るさを計測し、次回の撮影時に適正な光量に変更するリアルタイムキャリブレーションを実施すればよい。もちろん、赤外線反射光が多すぎてドットを認識できない場合も含むことは言うまでもない。また、予めキャリブレーションを実施しないで、リアルタイムキャリブレーションのみで、赤外線光量を制御してもよい。
【０２５３】
［キャリブレーションの実施形態３  サイズのキャリブレーション］
キャリブレーションの実施形態３は、グリッドシートまたは印刷媒体７３２の大きさを調整するためのキャリブレーションである。
【０２５４】
グリッドシートまたは印刷媒体７３２のドットパターンには、図５４に示すように、キャリブレーションパラメータがコード値として定義されている。キャリブレーションは、上述の「キャリブレーションの実施形態１」で示したように、グリッドシート等の所定位置（例えば四隅）をスキャナでタッチすること等により行われる。このキャリブレーションにより、グリッドシートまたは印刷媒体７３２の大きさが認識される。1回キャリブレーションを行った後、もう1回キャリブレーションを行ったときに、スキャナでタッチしただけで、ドットパターンに定義されたキャリブレーションパラメータから、キャリブレーションした情報を持って来る。
【０２５５】
なお、ドットパターンは、図５５に示すように、ＸＹ座標値だけが定義されていてもよい。この場合、キャリブレーションパラメータは、同図（ｂ）に示すようなテーブルにより定義される。すなわち、グリッドシート毎または印刷媒体毎に、ユニークな座標範囲で形成される領域を判別し、各グリッドシートまたは各印刷媒体に付与されたキャリブレーションパラメータを特定できる。例えば、座標範囲が（X1〜X2、Y1〜Y2）で形成される領域の場合は、キャリブレーションパラメータが１である。
【０２５６】
このように、グリッドシート毎または印刷媒体毎にキャリブレーションパラメータを設けることにより、例えば、グリッドシートが貼付された電子黒板と、ドットパターンが印刷されたノートというように、異なる大きさを有する媒体に対しても、同一のスキャナを使用してキャリブレーションを行うことができる。また、1回キャリブレーションを行えば、再度のキャリブレーションは不要となるため、利便性にも優れている。
【０２５７】
＜実施の形態の補足的な説明＞
上記実施の形態は、以下の技術思想を包含するものである。
【０２５８】
（１）本発明に係る情報入力補助シートは、光学読み取り装置で接触または離反して読み取られるドットパターンが形成されたドットパターン読み取り面または当該ドットパターン読み取り面の反対面に、少なくとも所定の波長光を拡散反射する拡散反射層が形成され、所定の媒体面上または該媒体面近傍に配置または貼付される情報入力補助シートであって、前記光学読み取り装置は、前記所定の波長光を照射する照射手段と、少なくとも前記所定の波長光を透過させ、かつ可視光を遮断するフィルターと、少なくとも前記所定の波長光を撮像する撮像手段と、該撮像手段で撮像されたドットパターン画像をドットコードに復号する復号化手段と、を備え、前記ドットパターンのドットは、前記ドットパターン読み取り面に少なくとも前記所定の波長光を吸収する特性または該所定の波長光を吸収する特性および可視光透過特性を有するインクで印刷され、前記拡散反射層は、前記照射手段で照射される前記所定の波長光がドットパターン読み取り面に対して拡散反射するように指向性反射材料を配置して形成された、ことを特徴とする。
【０２５９】
（２）さらに、前記指向性反射材料はポリマー分子である、ことを特徴とする。
【０２６０】
（３）さらに、前記拡散反射層は、前記ポリマー分子が異なる方向に積層された複数のセルを配置して形成された、ことを特徴とする。
【０２６１】
（４）さらに、前記拡散反射層は、前記ポリマー分子が同方向に積層された複数のセルの配向角度を変えて配置して形成された、ことを特徴とする。
【０２６２】
（５）さらに、前記拡散反射層は、前記セルの配向角度を規則的に変化させて配置して形成された、ことを特徴とする。
【０２６３】
（６）さらに、前記拡散反射層は、前記ドットパターン読み取り面に沿って前記ポリマー分子が平行に配向されるセルを所定の割合で配置して形成された、ことを特徴とする。
【０２６４】
（７）さらに、前記拡散反射層は、粉砕した前記セルを該セルと同一の屈折率を有する溶剤に封入し形成された、ことを特徴とする。
【０２６５】
（８）さらに、前記ポリマー分子および前記セルは少なくとも可視光を透過する指向性反射材料である、ことを特徴とする。
【０２６６】
（９）さらに、前記拡散反射層は、選択して拡散反射する前記所定の波長光の波長が異なる複数種類のポリマー分子を配置した、ことを特徴とする。
【０２６７】
（１０）さらに、前記指向性材料は、光学積層体によって前記所定の波長光の反射光を入射方向に再帰性反射する、ことを特徴とする。
【０２６８】
（１１）さらに、前記拡散反射層は、２つの透明層と、前記透明層の間に前記所定の波長光を反射して可視光を透過する表面部によって形成された凹部を備え、前記凹部の反射によって前記所定の波長光の反射光を入射方向に再帰性反射する、ことを特徴とする。
【０２６９】
（１２）さらに、前記拡散反射層は、前記２つの透明層の内、ドットパターン読み取り面側の透明層に形成されている、ことを特徴とする。
【０２７０】
（１３）さらに、前記拡散反射層は、ガラスまたは樹脂製の透明ビーズ単層を樹脂によって固定したビーズ層と、前記ビーズ層のビーズの形状に隣接して設けられ、前記所定の波長光を反射して可視光を透過するビーズ反射層を備え、前記ビーズとビーズ反射層の反射によって前記所定の波長光の反射光を入射方向に再帰性反射する、ことを特徴とする。
【０２７１】
（１４）さらに、前記ドットパターンのドットは、波長が異なる複数種類の前記所定の波長光を吸収する特性または該所定の波長光を吸収する特性および可視光透過特性を有するインクで印刷された、ことを特徴とする。
【０２７２】
（１５）さらに、前記ドットパターンが形成されるドットの所定位置に、所定の規則に基づいて前記インクで印刷するドットが配置された、ことを特徴とする。
【０２７３】
（１６）さらに、前記拡散反射層は、少なくとも前記複数種類の波長光を拡散反射し、前記照射手段は、前記複数種類の波長光を照射し、前記フィルターは、少なくとも前記複数種類の波長光を透過させ、かつ可視光を遮断し、前記撮像手段は、少なくとも前記複数種類の波長光を撮像する、ことを特徴とする。
【０２７４】
（１７）さらに、前記ドットパターン読み取り面の反対面に少なくとも可視光を投影可能なスクリーンが貼付され、該ドットパターン形成面に向けてプロジェクタで画像が投影される、ことを特徴とする。
【０２７５】
（１８）さらに、前記所定の媒体は印刷物またはディスプレイまたは透明媒体である、ことを特徴とする。
【０２７６】
（１９）さらに、前記ドットパターン読み取り面に少なくとも可視光および前記所定の波長光を透過する保護層が形成された、ことを特徴とする。
【０２７７】
（２０）さらに、前記ドットパターンは、透明シートのドットパターン読み取り面の反対面に形成され、該透明シートを保護層として兼用する、ことを特徴とする。
【０２７８】
（２１）さらに、前記ドットパターンには座標値または座標値およびコード値が符号化され、該座標値により前記光学読み取り装置によりドットパターンを読み取った位置が認識される、ことを特徴とする。
【０２７９】
（２２）さらに、前記光学読み取り装置で読み取った前記座標値または前記コード値の少なくとも一部に定義されたインデックスにより、分類または唯一に特定される、ことを特徴とする。
【０２８０】
（２３）さらに、前記所定の波長光は、赤外線または紫外線である、ことを特徴とする。
【０２８１】
（２４）本発明に係るドットコード光学読み取り装置は、所定の媒体面上または該媒体面近傍に貼付または配置された情報入力補助シートに接触または離反して、該情報入力補助シートに形成されたドットパターンを読み取る光学読み取り装置であって、前記光学読み取り装置は、所定の波長光を照射する照射手段と、少なくとも前記所定の波長光を透過させ、かつ可視光を遮断するフィルターと、少なくとも前記所定の波長光を撮像する撮像手段と、該撮像手段で撮像されたドットパターン画像をドットコードに復号化する復号化手段と、を備え、前記ドットパターンのドットは、少なくとも前記所定の波長光を吸収する特性または該所定の波長光を吸収する特性および可視光透過特性を有するインクで印刷された、ことを特徴とする。
【０２８２】
（２５）さらに、復号化された前記ドットコードまたは該ドットコードに対応する命令および／またはデータを情報処理装置に送信する送信手段を、さらに備えた、ことを特徴とする。
【０２８３】
（２６）さらに、復号化された前記ドットコードまたは該ドットコードに対応する命令および／またはデータに対応する情報を出力する出力手段を、さらに備えた、ことを特徴とする。
【０２８４】
（２７）本発明に係るドットコード情報処理システムは、所定の媒体面上または該媒体面近傍に貼付または配置された情報入力補助シートと、前記情報入力補助シートに接触または離反して、該情報入力補助シートに形成されたドットパターンを読み取る光学読み取り装置と、からなる情報処理システムであって、前記光学読み取り装置は、所定の波長光を照射する照射手段と、少なくとも前記所定の波長光を透過させ、かつ可視光を遮断するフィルターと、少なくとも前記所定の波長光を撮像する撮像手段と、該撮像手段で撮像されたドットパターン画像をドットコードに復号化する復号化手段と、を備え、前記ドットパターンのドットは、少なくとも前記所定の波長光を吸収する特性または該所定の波長光を吸収する特性および可視光透過特性を有するインクで印刷された、ことを特徴とする。
【０２８５】
（２８）さらに、前記光学読み取り装置に、復号化された前記ドットコードまたは該ドットコードに対応する命令および／またはデータを情報処理装置に送信する送信手段を、さらに備えた、ことを特徴とする。
【０２８６】
（２９）さらに、復号化されたドットコードまたは該ドットコードに対応する命令および／またはデータに対応する情報を出力する出力装置を、さらに加えた、ことを特徴とする。
【産業上の利用可能性】
【０２８７】
本発明は、ドットパターンに少なくともXY座標値を定義しておけば、パーソナルコンピュータ、ＰＤＡ、銀行ＡＴＭ等、あらゆるディスプレイの画面上に貼付して位置情報を取得できることから、タッチパネルとして利用することができる。もちろん、ディスプレイの表示画像の配置が予め定まっていれば、対応する領域に少なくともコード値を定義しておけばよい。また、赤外線を吸収するインクで印刷された印刷物上に被せても、ドットパターンだけを読み取り位置情報を取得できるため、印刷物に記載された絵柄のトレースや情報に関連する情報を画面上に出力することができる。
【符号の説明】
【０２８８】
１，２１，３１，４１，５１，６１，８１，９１，１０１，１１１，１２１…グリッドシート
２…保護用透明シート
３…ドット
４，１１４，１２４…ドットパターン層
５，２５，３５，４５，５５，６５，８５…赤外線拡散層
９５，１０５…赤外線再帰性反射層
６，３６…赤外線反射層
７…ドットパターン
８…支持体
９，１９、２９，７９…ポリマー分子
１０，２０，３０，７０…セル
６８…溶剤
９０，１００…光学機能層
９０ａ…表面層
９０ｂ…透光体
９２，１０２…凹部
９６ａ、９６ｂ…中間層
９７ａ、９７ｂ…透明粘着層
９８ａ、９８ｂ…透明基材
１０３…ビーズ
１０３ａ…ビーズ反射層
１０３ｂ…ビーズ層
１０８…透明樹脂バインダ材
１０８ａ…透明樹脂バインダ材
１０８ｂ…透明樹脂バインダ材
１１２…仮想格子点
１１３…基準格子
ＩＲ，ＩＲ１，ＩＲ２，ＩＲ３，ＩＲ４…赤外線
ＳＡ，ＳＡ１，ＳＡ２，ＳＡ３，ＳＡ４…螺旋軸
Ｒ１，Ｒ２…平均屈折率
Ｐ１，Ｐ２…螺旋のピッチ
ｄ１…表面層の膜厚
ｄ２…ビーズ反射層の膜厚
α…入射角
β…反射角
■…基準格子点ドット
□…キードット
●，○…情報ドット
Ａ，Ｂ，Ｃ，Ｄ…ブロック
【図１】
2019194889.tif 000005
【図２】
2019194889.tif 000006
【図３】
2019194889.tif 000007
【図４】
2019194889.tif 000008
【図５】
2019194889.tif 000009
【図６】
2019194889.tif 000010
【図７】
2019194889.tif 000011
【図８】
2019194889.tif 000012
【図９】
2019194889.tif 000013
【図１０】
2019194889.tif 000014
【図１１】
2019194889.tif 000015
【図１２】
2019194889.tif 000016
【図１３】
2019194889.tif 000017
【図１４】
2019194889.tif 000018
【図１５】
2019194889.tif 000019
【図１６】
2019194889.tif 000020
【図１７】
2019194889.tif 000021
【図１８】
2019194889.tif 000022
【図１９】
2019194889.tif 000023
【図２０】
2019194889.tif 000024
【図２１】
2019194889.tif 000025
【図２２】
2019194889.tif 000026
【図２３】
2019194889.tif 000027
【図２４】
2019194889.tif 000028
【図２５】
2019194889.tif 000029
【図２６】
2019194889.tif 000030
【図２７】
2019194889.tif 000031
【図２８】
2019194889.tif 000032
【図２９】
2019194889.tif 000033
【図３０】
2019194889.tif 000034
【図３１】
2019194889.tif 000035
【図３２】
2019194889.tif 000036
【図３３】
2019194889.tif 000037
【図３４】
2019194889.tif 000038
【図３５】
2019194889.tif 000039
【図３６】
2019194889.tif 000040
【図３７】
2019194889.tif 000041
【図３８】
2019194889.tif 000042
【図３９】
2019194889.tif 000043
【図４０】
2019194889.tif 000044
【図４１】
2019194889.tif 000045
【図４２】
2019194889.tif 000046
【図４３】
2019194889.tif 000047
【図４４】
2019194889.tif 000048
【図４５】
2019194889.tif 000049
【図４６】
2019194889.tif 000050
【図４７】
2019194889.tif 000051
【図４８】
2019194889.tif 000052
【図４９】
2019194889.tif 000053
【図５０】
2019194889.tif 000054
【図５１】
2019194889.tif 000055
【図５２】
2019194889.tif 000056
【図５３】
2019194889.tif 000057
【図５４】
2019194889.tif 000058
【図５５】
2019194889.tif 000059
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
光学読み取り装置で接触または離反して読み取られるドットパターンが形成されたドットパターン読み取り面または当該ドットパターン読み取り面の反対面に、少なくとも所定の波長光を拡散反射する拡散反射層が形成され、所定の媒体面上または該媒体面近傍に配置または貼付される情報入力補助シートであって、
前記光学読み取り装置は、
前記所定の波長光を照射する照射手段と、
少なくとも前記所定の波長光を透過させ、かつ可視光を遮断するフィルターと、
少なくとも前記所定の波長光を撮像する撮像手段と、
該撮像手段で撮像されたドットパターン画像をドットコードに復号する復号化手段と、を備え、
前記ドットパターンのドットは、前記ドットパターン読み取り面に少なくとも前記所定の波長光を吸収する特性または該所定の波長光を吸収する特性および可視光透過特性を有するインクで印刷され、
前記拡散反射層は、前記照射手段で照射される前記所定の波長光がドットパターン読み取り面に対して拡散反射するように指向性反射材料を配置して形成された情報入力補助シート。